(57)【要約】マルチモード無線通信デバイス（ＷＣＤ）内の可変無線周波数（ＲＦ）の単一変調パスにおける２つまたはそれ以上の異なる通信モードに従って動作可能にする技術が開示される。マルチモードＷＣＤは、無線通信システム内の基地局からのサービス信号を検出し、および通信モードを選択して、そのモード内で検出されたサービス信号の通信モードに基づいて動作してもよい。本明細書に記載される技術により、ＲＦ変調器内のディジタルコントローラは、選択された通信モードに基づいてＲＦ変調器の単一変調パスに沿って可変構成要素のパラメータを設定できる。このような方法により、可変ＲＦ変調器の単一変調パスを設定し、マルチモードＷＣＤが動作している通信モードに従ってＷＣＤのユーザからのベースバンド信号を処理してもよい。
2009508449.tif 000002
【特許請求の範囲】
【請求項１】
２つまたはそれ以上の通信モードをサポートするマルチモード無線通信デバイス（ＷＣＤ）に組み込まれた可変無線周波数（ＲＦ）変調器の単一変調パスにおいて２つまたはそれ以上の通信モードを作動することと、
前記通信モードのうちの選択された１つに基づいて前記可変ＲＦ変調器の前記単一変調パスに沿って可変構成要素のパラメータを設定することによって、２つまたはそれ以上の通信モードの前記選択された１つに従ってマルチモードＷＣＤのユーザからの信号を処理することと、
を備える方法。
【請求項２】
２つまたはそれ以上の通信モードを作動することは、前記可変ＲＦ変調器の前記単一変調パスにおいて符号分割多元接続（ＣＤＭＡ）通信モードおよびＧＳＭ（ｇｌｏｂａｌ  ｓｙｓｔｅｍ  ｆｏｒ  ｍｏｂｉｌｅ  ｃｏｍｍｕｎｉｃａｔｉｏｎ）通信モードを作動することを備える、請求項１の方法。
【請求項３】
前記ＧＳＭ通信モードをサポートするために、前記可変ＲＦ変調器のＣＤＭＡ変調パスを構成することをさらに備える、請求項２の方法。
【請求項４】
検出されたサービス信号の通信モードに基づいて、前記マルチモードＷＣＤを作動する前記２つまたはそれ以上の通信モードのうちの１つを選択することをさらに備える、請求項１の方法。
【請求項５】
前記マルチモードＷＣＤによってサポートされる前記２つまたはそれ以上の通信モードの内の第１の通信モードに準拠する第１サービス信号を検索することと、
前記マルチモードＷＣＤが前記第１サービス信号を検出しないとき、前記２つまたはそれ以上の通信モードのうちの第２の通信モードに準拠する第２サービス信号を検索することと、をさらに備える、請求項４の方法。
【請求項６】
前記第１サービス信号は符号分割多元接続（ＣＤＭＡ）通信モードに準拠し、前記第２サービス信号はＧＳＭ（ｇｌｏｂａｌ  ｓｙｓｔｅｍ  ｆｏｒ  ｍｏｂｉｌｅ  ｃｏｍｍｕｎｉｃａｔｉｏｎ）通信モードに準拠する、請求項５の方法。
【請求項７】
命令を備えるコンピュータ読取可能媒体であって、前記命令によって、プログラマブルプロセッサが、
２つまたはそれ以上の通信モードをサポートするマルチモード無線通信デバイス（ＷＣＤ）に組み込まれた可変無線周波数（ＲＦ）変調器の単一変調パスにおいて２つまたはそれ以上の通信モードを作動し、
前記通信モードのうちの選択された１つに基づいて前記可変ＲＦ変調器の前記単一変調パスに沿って可変構成要素のパラメータを設定することによって、前記２つまたはそれ以上の通信モードの前記選択された１つに従って前記マルチモードＷＣＤのユーザからの信号を処理する、
ことができる、コンピュータ読取可能媒体。
【請求項８】
命令をさらに備えるコンピュータ読取可能媒体であって、前記命令によって、前記プログラマブルプロセッサは、検出されたサービス信号に基づいて前記マルチモードＷＣＤを作動する前記２つまたはそれ以上の通信モードの内の１つを選択できる、請求項７のコンピュータ読取可能媒体。
【請求項９】
命令をさらに備えるコンピュータ読取可能媒体であって、前記命令によって、プログラマブルプロセッサが、
前記マルチモードＷＣＤによってサポートされる前記２つまたはそれ以上の通信モードの内の第１の通信モードに準拠する第１サービス信号を検索し、
前記マルチモードＷＣＤが前記第１サービス信号を検出しないとき、前記２つまたはそれ以上の通信モードのうちの第２の通信モードに準拠する第２サービス信号を検索する、ことができる、
請求項８のコンピュータ読取可能媒体。
【請求項１０】
可変ＲＦ変調器を備える、２つまたはそれ以上の通信モードをサポートするマルチモード無線通信デバイス（ＷＣＤ）であって、前記可変ＲＦ変調器はこの可変ＲＦ変調器の単一変調パスにおいて前記２つまたはそれ以上の通信モードを作動し、
前記可変ＲＦ変調器は、前記通信モードのうちの選択された１つに基づいて前記可変ＲＦ変調器の前記単一変調パスに沿って可変構成要素のパラメータを設定することによって、前記２つまたはそれ以上の通信モードの前記選択された１つに従って前記マルチモードＷＣＤのユーザからの信号を処理する、
マルチモードＷＣＤ。
【請求項１１】
前記可変ＲＦ変調器は、前記可変ＲＦ変調器の前記単一変調パスにおいて前記符号分割多元接続（ＣＤＭＡ）通信モードおよびＧＳＭ（ｇｌｏｂａｌ  ｓｙｓｔｅｍ  ｆｏｒ  ｍｏｂｉｌｅ  ｃｏｍｍｕｎｉｃａｔｉｏｎ）通信モードを作動する、請求項１０のマルチモードＷＣＤ。
【請求項１２】
前記可変ＲＦ変調器は、前記ＧＳＭ通信モードをサポートするために、前記可変ＲＦ変調器のＣＤＭＡ変調パスを構成する、請求項１１のマルチモードＷＣＤ。
【請求項１３】
検出されたサービス信号に基づいて前記マルチモードＷＣＤを作動する前記２つまたはそれ以上の１つの通信モードを選択する、移動局モデム（ＭＳＭ）をさらに備える、請求項１０のマルチモードＷＣＤ。
【請求項１４】
前記ＭＳＭは、
前記マルチモードＷＣＤによってサポートされる前記２つまたはそれ以上の通信モードの内の第１の通信モードに準拠する第１サービス信号を検索し、
前記マルチモードＷＣＤが前記第１サービス信号を検出しないとき、前記２つまたはそれ以上の通信モードのうちの第２の通信モードに準拠する第２サービス信号を検索する、
請求項１３のマルチモードＷＣＤ。
【請求項１５】
前記第１サービス信号は前記符号分割多元接続（ＣＤＭＡ）通信モードに準拠し、前記第２サービス信号はＧＳＭ（ｇｌｏｂａｌ  ｓｙｓｔｅｍ  ｆｏｒ  ｍｏｂｉｌｅ  ｃｏｍｍｕｎｉｃａｔｉｏｎ）通信モードに準拠する、請求項１４のマルチモードＷＣＤ。
【請求項１６】
前記可変構成要素のパラメータは利得、帯域幅、バイアス電流、バイアス電圧、およびコモンモード電圧のうちの１つまたは複数を備える、請求項１０のマルチモードＷＣＤ。
【請求項１７】
検出されたサービス信号に基づいてマルチモード無線通信デバイス（ＷＣＤ）を作動する通信モードを選択することと、
前記選択された通信モードの周波数帯域に対するパラメータおよび出力電力を決定することと、
前記決定されたパラメータに基づいて、前記マルチモードＷＣＤに組み込まれた可変無線周波数（ＲＦ）変調器の単一変調パスに沿って可変構成要素のパラメータを設定することと、
前記選択された通信モードに従って、前記可変ＲＦ変調器により前記マルチモードＷＣＤのユーザからの信号を処理することと、
を備える方法。
【請求項１８】
前記通信モードを選択することは、
前記検出されたサービス信号が第１通信モードに準拠するとき、前記マルチモードＷＣＤによってサポートされる第１通信モードを選択し、このモードにおいて前記マルチモードＷＣＤを作動することと、
前記検出されたサービス信号が第２通信モードに準拠するとき、前記マルチモードＷＣＤによってサポートされる第２通信モードを選択し、このモードにおいて前記マルチモードＷＣＤを作動することと、
を備える、請求項１７の方法。
【請求項１９】
前記検出されたサービス信号が準拠する通信モードと、前記検出されたサービス信号が作動する前記通信モードの周波数帯域とを決定することと、
前記検出されたサービス信号が準拠する前記通信モードに基づいて前記マルチモードＷＣＤを作動する前記通信モードを選択することと、
前記サービス信号が作動する前記信モードの前記周波数帯域に対するパラメータおよび出力電力を決定することと、
をさらに備える、請求項１７の方法。
【請求項２０】
前記可変ＲＦ変調器の前記単一変調パスに沿って前記可変構成要素のパラメータを設定することが、前記決定されたパラメータに基づいて前記可変ＲＦ変調器に含まれるディジタルコントローラにより前記可変構成要素のそれぞれに対する利得制御信号を生成することを備える、請求項１７の方法。
【請求項２１】
前記ディジタルコントローラは、前記可変構成要素のそれぞれに対応する参照テーブルを含み、
利得制御信号を生成することは、前記可変構成要素のそれぞれに対する利得範囲と利得率に基づいて前記参照テーブルの可変構成要素を参照することで、前記可変構成要素のそれぞれに対して利得制御信号を生成することを備える、
請求項２０の方法。
【請求項２２】
前記可変ＲＦ変調器の前記単一変調パスに沿った前記可変構成要素は、ベースバンドフィルタ、ベースバンド可変利得増幅器、ＲＦ可変利得増幅器、およびドライバ増幅器を備え、
前記可変構成要素のパラメータを設定することは、
基準電流を介して前記ベースバンドフィルタのパラメータを設定することと、
前記ベースバンド可変利得増幅器のパラメータを設定することと、
前記選択された通信モードの前記周波数帯域に関連する前記ＲＦ可変利得増幅器のパラメータを設定することと、
前記選択された通信モードの前記周波数帯域に関連する前記ドライバ増幅器のパラメータを設定することと、を備える、
請求項１７の方法。
【請求項２３】
前記マルチモードＷＣＤのユーザからの信号を処理することは、
前記パラメータ設定に基づいて、前記ベースバンドフィルタによりベースバンドユーザ信号をフィルタリングすることと、
前記パラメータ設定に基づいて、前記ベースバンド可変利得増幅器により前記ベースバンドユーザ信号を増幅して中間周波数ユーザ信号を生成することと、
前記中間周波数ユーザ信号を、前記選択された通信モードの前記周波数帯域に関連するＲＦミキサに供給することと、
前記ＲＦミキサにより前記中間周波数ユーザ信号と局部発振器からのＲＦ信号とを混合してＲＦユーザ信号を生成することと、
前記パラメータ設定に基づいて、前記ＲＦ可変利得増幅器の１つにより前記ＲＦユーザ信号を減衰することと、
前記パラメータ設定に基づいて、前記ドライバ増幅器の前記１つにより前記ＲＦユーザ信号を増幅して、前記選択された通信モードの前記周波数帯域に対して十分な利得および出力電力を供給することと、を備える、
請求項２２の方法。
【請求項２４】
前記選択された通信モードに基づいて前記可変ＲＦ変調器の出力ポートを選択することと、
前記選択された通信モードの前記周波数帯域に対して十分な利得および出力電力を有する前記処理されたユーザ信号を、前記選択された出力ポートを介して、前記マルチモードＷＣＤに組み込まれた前記可変ＲＦ変調器から送信機に送ることと、
をさらに備える、請求項１７の方法。
【請求項２５】
命令を備えるコンピュータ読取可能媒体であって、前記命令によって、プログラマブルプロセッサが、
検出されたサービス信号に基づいてマルチモード無線通信デバイス（ＷＣＤ）を作動する通信モードを選択し、
前記選択された通信モードの周波数帯域に対するパラメータおよび出力電力を決定し、
前記決定されたパラメータに基づいて、前記マルチモードＷＣＤに組み込まれた可変無線周波数（ＲＦ）変調器の単一変調パスに沿って可変構成要素のパラメータを設定し、
前記選択されたモードに従って、前記可変ＲＦ変調器により前記マルチモードＷＣＤのユーザからの信号を処理する、
ことができる、コンピュータ読取可能媒体。
【請求項２６】
前記命令によって、前記プログラマブルプロセッサは、前記決定されたパラメータに基づいて、前記可変ＲＦ変調器に含まれるディジタルコントローラにより前記構成要素のそれぞれに対する利得制御信号を生成できる、請求項２５のコンピュータ読取可能媒体。
【請求項２７】
前記可変ＲＦ変調器の前記単一変調パスに沿った前記可変構成要素は、ベースバンドフィルタ、ベースバンド可変利得増幅器、ＲＦ可変利得増幅器、およびドライバ増幅器を備え、前記命令によって、前記プログラマブルプロセッサは、
基準電流を介する前記パラメータ設定に基づいて、前記ベースバンドフィルタによりベースバンドユーザ信号をフィルタリングし、
前記パラメータ設定に基づいて、前記ベースバンド可変利得増幅器により前記ベースバンドユーザ信号を増幅して中間周波数ユーザ信号を生成し、
前記中間周波数ユーザ信号を、前記選択された前記通信モードの前記周波数帯域に関連するＲＦミキサに供給し、
前記ＲＦミキサにより前記中間周波数ユーザ信号と局部発振器からのＲＦ信号とを混合してＲＦユーザ信号を生成し、
前記パラメータ設定に基づいて、前記選択された通信モードの前記周波数帯域に関連する前記ＲＦ可変利得増幅器の１つにより前記ＲＦユーザ信号を減衰し、
前記パラメータ設定に基づいて、前記選択された通信モードの前記周波数帯域に関連する前記ドライバ増幅器の１つにより前記ＲＦユーザ信号を増幅して、前記選択された通信モードの前記周波数帯域に対して十分な利得および出力電力を提供する、
ことができる、請求項２５のコンピュータ読取可能媒体。
【請求項２８】
命令をさらに備えるコンピュータ読取可能媒体であって、前記命令によって、前記プログラマブルプロセッサは、
前記選択された通信モードに基づいて前記可変ＲＦ変調器の出力ポートを選択し、
前記選択された通信モードの前記周波数帯域に対して十分な利得および出力電力を有する前記処理されたユーザ信号を、前記選択された出力ポートを介して、前記マルチモードＷＣＤに組み込まれた前記可変ＲＦ変調器から送信機に送る、
ことができる、請求項２５のコンピュータ読取可能媒体。
【請求項２９】
サービス信号を検出する受信機と、
前記検出されたサービス信号に基づいて前記マルチモードＷＣＤを作動する通信モードを選択し、前記選択された通信モードに周波数帯域に対するパラメータおよび出力電力を決定する、移動局モデム（ＭＳＭ）と、
前記ＭＳＭからの前記決定されたパラメータに基づいて、前記可変ＲＦ変調器の単一変調パスに沿って可変構成要素のパラメータを設定する、ディジタルコントローラを含む可変無線周波数（ＲＦ）変調器と、を備え、
前記可変ＲＦ変調器は前記選択された通信モードに従って、前記ＷＣＤのユーザからの信号を処理する、
マルチモード無線通信デバイス（ＷＣＤ）。
【請求項３０】
前記ＭＳＭは、
前記検出されたサービス信号が第１通信モードに準拠するとき、前記マルチモードＷＣＤによってサポートされる第１通信モードを選択し、このモードにおいて前記マルチモードＷＣＤを作動し、
前記検出されたサービス信号が第２通信モードに準拠するとき、前記マルチモードＷＣＤによってサポートされる第２通信モードを選択し、このモードにおいて前記マルチモードＷＣＤを作動する、
請求項２９のマルチモードＷＣＤ。
【請求項３１】
前記ＭＳＭは、
前記検出されたサービス信号が準拠する通信モードと、前記検出されたサービス信号が作動する前記通信モードの周波数帯域とを決定し、
前記検出されたサービス信号が準拠する前記通信モードに基づいて前記マルチモードＷＣＤを作動する前記通信モードを選択し、
前記サービス信号が作動する前記信モードの前記周波数帯域に対するパラメータおよび出力電力を決定する、
請求項２９のマルチモードＷＣＤ。
【請求項３２】
前記可変ＲＦ変調器に含まれる前記ディジタルコントローラは、前記ＭＳＭからの決定されたパラメータに基づいて前記可変構成要素のそれぞれに対する利得制御信号を生成する、請求項２９のマルチモードＷＣＤ。
【請求項３３】
前記ディジタルコントローラは、
前記可変構成要素のそれぞれに対応する参照テーブルを含み、
前記可変構成要素のそれぞれに対する利得範囲と利得率に基づいて前記参照テーブルのそれぞれの可変構成要素により、前記可変構成要素のそれぞれに対して利得制御信号を生成する、
請求項３２のマルチモードＷＣＤ。
【請求項３４】
前記可変ＲＦ変調器の前記単一変調パスに沿った前記可変構成要素は、ベースバンドフィルタ、ベースバンド可変利得増幅器、ＲＦ可変利得増幅器、およびドライバ増幅器を備え、
前記ディジタルコントローラは、
基準電流を介して前記ベースバンドフィルタのパラメータを設定し、
前記ベースバンド可変利得増幅器のパラメータを設定し、
前記選択された通信モードの前記周波数帯域に関連する前記ＲＦ可変利得増幅器のパラメータを設定し、
前記選択された通信モードの前記周波数帯域に関連する前記ドライバ増幅器のパラメータを設定する、
請求項２９のマルチモードＷＣＤ。
【請求項３５】
前記ベースバンドフィルタは、前記パラメータ設定に基づいてベースバンドユーザ信号をフィルタリングし、
前記ベースバンド可変利得増幅器は、前記パラメータ設定に基づいて前記ベースバンドユーザ信号を増幅して、中間周波数ユーザ信号を生成し、前記中間周波数ユーザ信号を、前記選択された通信モードの前記周波数帯域に関連するＲＦミキサに供給し、
前記ＲＦミキサは、前記中間周波数ユーザ信号と局部発振器からのＲＦ信号とを混合してＲＦユーザ信号を生成し、
前記ＲＦ可変利得増幅器の１つは、前記パラメータ設定に基づいて前記ＲＦユーザ信号を減衰し、
前記ドライバ増幅器の１つは、前記パラメータ設定に基づいて前記ＲＦユーザ信号を増幅して、前記選択された通信モードの前記周波数帯域に対して十分な利得および出力電力を提供する、
請求項３４のマルチモードＷＣＤ。
【請求項３６】
前記ディジタルコントローラは、前記選択された通信モードに基づいて前記可変ＲＦ変調器に含まれるドライバ増幅器の出力ポートを選択し、
前記ドライバ増幅器は、前記選択された通信モードの前記周波数帯域に対して十分な利得および出力電力を有する前記処理されたユーザ信号を、前記選択された出力ポートを介して、前記マルチモードＷＣＤに組み込まれた前記可変ＲＦ変調器から送信機に送る、
請求項２９のマルチモードＷＣＤ。
【請求項３７】
前記ＲＦ変調器はアップコンバータを含み、
前記アップコンバータは、
ベースバンドユーザ信号を低域通過フィルタリングするカスケードトランジスタと、パラメータ設定に従ってベースバンドフィルタの帯域幅を制御するキャパシタとを有するバースバンドフィルタと、
パラメータ設定によって設定されるトランジスタビットスイッチに従って、前記ベースバンドフィルタからの前記ベースバンドユーザ信号を増幅する電流ミラーを形成する、トランジスタペアを有するベースバンド可変利得増幅器と、
前記ベースバンド可変利得増幅器からの中間周波数ユーザ信号と局部発振器からのＲＦ信号とを混合してＲＦユーザ信号を生成する、トランジスタペアを有するＲＦミキサと、を備える、
請求項２９のマルチモードＷＣＤ。
【請求項３８】
前記ＲＦ変調器は、ＲＦユーザ信号を減衰するために、パラメータ設定によって設定されるトランジスタビットスイッチを有するＲＦ可変利得増幅器を含む、請求項２９のマルチモードＷＣＤ。
【請求項３９】
前記ＲＦ変調器は、スイッチカスケードステージを受信されたＲＦユーザ信号に接続するトランジスタを有するドライバ増幅器を含み、
前記スイッチカスケードステージは、パラメータ設定に従って前記受け取られたＲＦユーザ信号を増幅して、前記選択された通信モードの前記周波数帯域に対して十分な利得および出力電力を提供する、
請求項２９のマルチモードＷＣＤ。
【請求項４０】
前記ＲＦ変調器は、前記ドライバ増幅器の熱雑音を低減するために、ドライバ増幅器に対するバイアス入力電流を生成するトランジスタ定数回路を有するドライバ増幅器バイアス回路を備えた請求項３９のマルチモードＷＣＤ。
【請求項４１】
前記マルチモードＷＣＤは２つまたはそれ以上の通信モードをサポートする、請求項２９のマルチモードＷＣＤ。
【請求項４２】
前記選択された通信モードは、前記符号分割多元接続（ＣＤＭＡ）通信モードまたはＧＳＭ（ｇｌｏｂａｌ  ｓｙｓｔｅｍ  ｆｏｒ  ｍｏｂｉｌｅ  ｃｏｍｍｕｎｉｃａｔｉｏｎ）通信モードのうちの１つを備える、請求項２９のマルチモードＷＣＤ。
【請求項４３】
前記選択された通信モードの前記周波数帯域は、前記選択された通信モードの高周波数帯域または低周波数帯域のうちの１つを備える、請求項２９のマルチモードＷＣＤ。
【請求項４４】
前記可変構成要素のパラメータは、利得、帯域幅、バイアス電流、バイアス電圧、およびコモンモード電圧のうちの１つまたは複数を備える、請求項２９のマルチモードＷＣＤ。
【発明の詳細な説明】
【技術分野】
【０００１】
本開示は、無線通信、より詳細には無線通信デバイスにおける無線周波数（ＲＦ）変調器に関する。
【背景技術】
【０００２】
多種多様な無線通信技術が、周波数分割多元接続（ＦＤＭＡ）、時分割多元接続（ＴＤＭＡ）および様々なスペクトル拡散技術を含む、無線電気通信を促進するために開発されてきた。無線通信において使用される１つの一般的なスペクトル拡散技術は、複数の通信がスペクトル拡散無線周波数（ＲＦ）信号によって同時に伝送される符号分割多元接続（ＣＤＭＡ）信号変調である。いくつかの移動体通信プロトコルは、ＣＤＭＡ系列の規格および広帯域ＣＤＭＡ（ＷＣＤＭＡ）系列の規格といった、ＣＤＭＡ信号変調を使用する。
【０００３】
ＦＤＭＡは、割り当てられた周波数スペクトルが複数のより小さな周波数セルに分割される無線通信技術を示す。割当スペクトルの各セルはデータで変調される搬送波信号を有する。ＴＤＭＡは、周波数セルがタイムスロットに分割される無線通信技術を示す。ＴＤＭＡ技術を実現するシステムでは、異なる無線通信が特定のタイムスロットの間に送信され、場合によっては、タイムスロットは予約方式通信に対して割り当てできる。欧州電気通信規格協会（ＥＴＳＩ）により標準化されているＧＳＭ（ｇｌｏｂａｌ  ｓｙｓｔｅｍ  ｆｏｒ  ｍｏｂｉｌｅ  ｃｏｍｍｕｎｉｃａｔｉｏｎ）規格およびｅＧＳＭ（ｅｄｇｅ  ＧＳＭ）規格はＦＤＭＡおよびＴＤＭＡ技術を使用するシステムの例である。ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）規格はＧＳＭまたはＣＤＭＡ動作を認可する。
【０００４】
本開示では、無線通信デバイス（ＷＣＤ）は、無線信号を変調できる任意のデバイスを示す。いくつかの例のＷＣＤはセルラー方式電話または衛星無線電話、無線電話基地局、１つまたは複数の無線ネットワーキング規格をサポートするコンピュータ、無線ネットワーキングの無線アクセスポイント、携帯用コンピュータに組み込まれたＰＣＭＣＩＡカード、直接双方向通信デバイス、無線通信機能を装備した携帯情報端末（ＰＤＡ）他を含む。
【０００５】
無線電気通信では、送信側デバイスが情報を変調して１つまたは複数のベースバンド波形またはベースバンド信号を生成する。その後、ベースバンド波形はアップコンバージョンプロセスにおいて搬送波と混合されてもよい。次に、送信側デバイスが混合信号を受信側デバイスに無線送信できる。受信側デバイスはダウンコンバージョンプロセスにおいて受信信号から搬送波を除去し、ベースバンド波形を取得する。次に受信側デバイスはベースバンド波形の復調を実行して変調された情報を取得できる。
【０００６】
マルチモードＷＣＤ（ＵＭＴＳ規格に準拠していてもよい）は、異なる通信モードが異なる考慮要件を有するため、ＧＳＭおよびＣＤＭＡといった異なる通信モードに対して異なる変調パスを含んでいる。例えば、ＧＭＳ通信モードにおけるベースバンド波形に対して使用される変調器の主要パラメータは、搬送波抑制、大きなオフセットにおける受信機帯域雑音、画像抑制およびグループ遅延整合を含む。他方では、ＣＤＭＡ通信モードのベースバンド波形に対する変調器の主要パラメータは利得制御範囲、送信機最大出力電力および送信機最小出力電力における搬送波抑制を含む。
【発明の開示】
【０００７】
本出願は、２００５年９月１２日出願の米国特許仮出願第６０／７１６，５３７号の優先権を主張する。
【０００８】
一般に、本開示は、マルチモード無線通信デバイス（ＷＣＤ）内の可変無線周波数（ＲＦ）変調器の単一変調パスにおいて２つまたはそれ以上の異なる通信モードによる動作を可能にする技術に関する。マルチモードＷＣＤは２つまたはそれ以上の異なる通信モードにおける動作をサポートする。マルチモードＷＣＤは無線通信システム内の基地局からのサービス信号を検出し、検出されたサービス信号の通信モードに基づいて、動作する通信モードを選択する。本明細書に記載される技術により、マルチモードＷＣＤはパラメータ、例えば、選択された通信モードに基づいてＲＦ変調器内の可変構成要素の利得、帯域幅、バイアス電流、バイアス電圧およびコモンモード電圧を設定できる。このように、可変ＲＦ変調器の単一変調パスは、マルチモードＷＣＤが動作する通信モードに従ってＷＣＤのユーザからオーディオまたはビデオ信号を処理するように設定されてもよい。
【０００９】
マルチモードＷＣＤは、検出されたサービス信号の通信モードを決定し、およびマルチモードＷＣＤを作動するモードと同等の通信モードを選択する、移動局モデム（ＭＳＭ）を含んでもよい。例えば、サービス信号は、符号分割多元接続（ＣＤＭＡ）通信モード、ＧＳＭ（ｇｌｏｂａｌ  ｓｙｓｔｅｍ  ｆｏｒ  ｍｏｂｉｌｅ  ｃｏｍｍｕｎｉｃａｔｉｏｎ）通信モードまたは別の通信モードの１つに準拠してもよい。加えて、ＭＳＭは、検出されたサービス信号が動作している周波数帯域に基づいて選択される通信モードの周波数帯域を決定してもよい。例えば、サービス信号は、通信モードの高周波数帯域、例えば１７００〜２１００ＭＨｚまたは低周波数帯域、例えば８２４〜９１５ＭＨｚの１つの中で動作してもよい。
【００１０】
ＭＳＭは選択された通信モードの周波数帯域に対するパラメータおよび出力電力を決定する。可変ＲＦ変調器内のディジタルコントローラはＭＳＭから決定されたパラメータを使用して可変ＲＦ変調器の単一変調パスに沿って可変構成要素を設定する。場合によっては、ディジタルコントローラは単に、選択された通信モードの周波数帯域に関連する可変構成要素を設定するだけである。次に可変ＲＦ変調器はユーザ信号を処理し、選択された通信モードに基づいて可変ＲＦ変調器の出力ポートを選択する。可変ＲＦ変調器は、選択された通信モードの周波数帯域に対して十分な利得および出力電力を有する処理されたユーザ信号を、選択された出力ポートを通してマルチモードＷＣＤに組み込まれた送信機に送る。本明細書に記載される技術は、マルチモードＷＣＤによりサポートされる各通信モードに対して個別の変調パスを含む必要性を無くすることにより、マルチモードＷＣＤ内のＲＦ変調器を製造するコストを低減できる。
【００１１】
一実施形態では、本開示は、２つまたはそれ以上の通信モードをサポートするマルチモードＷＣＤに組み込まれた可変ＲＦ変調器の単一変調パスにおいて２つまたはそれ以上の通信モードを作動することを備える方法を提供する。この方法はまた、選択された１つの通信モードに基づいて可変ＲＦ変調器の単一変調パスに沿って可変構成要素のパラメータを設定することにより、２つまたはそれ以上の通信モードの選択された１つに従ってＷＣＤのユーザからの信号を処理することを備える。
【００１２】
別の実施形態では、本開示は、命令を備えるコンピュータ読取可能媒体を提供する。この命令によって、プログラマブルプロセッサは、２つまたはそれ以上の通信モードをサポートするマルチモードＷＣＤに組み込まれた可変ＲＦ変調器の単一変調パスにおいて２つまたはそれ以上の通信モードを作動する。命令によってさらに、プログラマブルプロセッサは、選択された１つの通信モードに基づいて可変ＲＦ変調器の単一変調パスに沿って可変構成要素のパラメータを設定することにより２つまたはそれ以上の通信モードの選択された１つに従ってＷＣＤのユーザからの信号を処理する。
【００１３】
別の実施形態では、本開示は、可変ＲＦ変調器の単一変調パスにおいて２つまたはそれ以上の通信モードを作動する可変ＲＦ変調器を備える、２つまたはそれ以上の通信モードをサポートするマルチモードＷＣＤを提供する。可変ＲＦ変調器は、選択された１つの通信モードに基づいて可変ＲＦ変調器の単一変調パスに沿って可変構成要素のパラメータを設定することにより２つまたはそれ以上の通信モードの選択された１つに従ってマルチモードＷＣＤのユーザからの信号を処理する。
【００１４】
別の実施形態では、本開示は、検出されたサービス信号に基づいてマルチモードＷＣＤを実現する通信モードを選択すること、選択された通信モードに基づいて周波数帯域に対するパラメータおよび出力電力を決定すること、および決定されたパラメータに基づいて可変ＲＦ変調器の単一変調パスに沿って可変構成要素のパラメータを設定することを備える方法を提供する。この方法はまた、選択された通信モードに従って可変ＲＦ変調器を用いてマルチモードＷＣＤのユーザからの信号を処理することを備える。
【００１５】
別の実施形態では、本開示は、命令を備えるコンピュータ読取可能媒体を提供する。この命令によって、プログラマブルプロセッサは、検出されたサービス信号に基づいてマルチモードＷＣＤを実現する通信モードを選択すること、選択された通信モードの周波数帯域に対するパラメータおよび出力電力を決定すること、および決定されたパラメータに基づいて可変ＲＦ変調器の単一変調パスに沿って可変構成要素のパラメータを設定することを実行する。この命令によってさらに、プログラマブルプロセッサは、選択された通信モードに従って可変ＲＦ変調器を用いてマルチモードＷＣＤのユーザからの信号を処理する。
【００１６】
別の実施形態では、本開示は、サービス信号を検出する受信機、ＭＳＭおよび可変ＲＦ変調器を備えるマルチモードＷＣＤを提供する。ＭＳＭは検出されたサービス信号に基づいてマルチモードＷＣＤを実現する通信モードを選択し、選択された通信モードの周波数帯域に対するパラメータおよび出力電力を決定する。可変ＲＦ変調器は、ＭＳＭから決定されたパラメータに基づいて可変ＲＦ変調器の単一変調パスに沿って可変構成要素のパラメータを設定するディジタルコントローラを含む。可変ＲＦ変調器は選択された通信モードに従ってＷＣＤのユーザからの信号を処理する。
【００１７】
本明細書に記載される技術は、ハードウェア、ソフトウェア、ファームウェアまたはこれらの任意の組み合わせにおいて実現されてもよい。ソフトウェアにおいて実現される場合、この技術は、プロセッサにより実行される場合ここに説明されている１つまたは複数の方法を実行する命令を備えるコンピュータ読取可能媒体により全体にまたは部分的に実現されてもよい。
【００１８】
１つまたは複数の実施形態の詳細は添付図面および以下の説明で述べられている。本発明の他の特徴、目的および利点は説明および図面から、ならびに特許請求の範囲から明らかになるであろう。
【詳細な説明】
【００１９】
図１は、マルチモードＷＣＤ内の可変無線周波数（ＲＦ）変調器２２の単一変調パスにおいて２つまたはそれ以上の通信モードによる動作を可能にする技術を実現するマルチモード無線通信デバイス（ＷＣＤ）１４を含む、無線通信システム１０を示したブロック図である。マルチモードＷＣＤ１４は、符号分割多元接続（ＣＤＭＡ）通信モード、ＧＳＭ（ｇｌｏｂａｌ  ｓｙｓｔｅｍ  ｆｏｒ  ｍｏｂｉｌｅ  ｃｏｍｍｕｎｉｃａｔｉｏｎ）通信モードまたは他の通信モードといった、２つまたはそれ以上の異なる通信モードをサポートする。これは特に、それぞれの国が異なる無線通信規格に準拠する無線通信環境を提供しているため、旅行するときに有用である。例えば、米国で提供されている無線通信環境の大部分は、ＣＤＭＡ系列の規格または広帯域ＣＤＭＡ（ＷＣＤＭＡ）系列の規格に準拠する。他方では、欧州で提供されている無線通信環境の大部分は、ＧＳＭ規格またはｅＧＳＭ（ｅｄｇｅ  ＧＳＭ）規格に準拠する。
【００２０】
システム１０は、ＣＤＭＡ、周波数分割多元接続（ＦＤＭＡ）または時分割多元接続（ＴＤＭＡ）といった１つまたは複数の無線通信技術をサポートするように設計されていてもよい。上述の無線通信技術は任意の様々な無線アクセス技術に従って配信されてもよい。例えば、ＣＤＭＡは、ｃｄｍａ２０００を含むＣＤＭＡ系列の規格またはＷＣＤＭＡ系列の規格により配信されてもよい。ＦＤＭＡおよびＴＤＭＡはＧＳＭ規格またはｅＧＳＭ規格により配信されてもよい。ユニバーサル移動電話システム（ＵＭＴＳ）規格はＧＳＭまたはＣＤＭＡ動作を許容する。ここでは説明目的のために、ＵＭＴＳ環境への適用が述べられる。例えば、システム１０は特に、ＵＭＴＳ環境におけるＣＤＭＡまたはＧＳＭ通信に対して有効であるが、多種多様の無線通信環境へのこの適用に限定されると考えるべきではない。
【００２１】
無線通信システム１０はマルチモードＷＣＤ１４と通信する複数の基地局１２Ａ〜１２Ｃ（「基地局１２」）を含む。１つだけのマルチモードＷＣＤが示されているが、システム１０は複数のマルチモードＷＣＤおよび／または単一モードＷＣＤを含んでもよい。マルチモードＷＣＤ１４は移動無線電話機、衛星無線電話、携帯用コンピュータに組み込まれた無線通信カード、無線通信機能を装備した携帯情報端末（ＰＤＡ）などの形態を取ってもよい。基地局１２は一般に、マルチモードＷＣＤと無線通信することによりマルチモードＷＣＤ１４にネットワークアクセスを提供する、固定設備である。例えば、基地局１２はマルチモードＷＣＤと公衆交換電話網（ＰＳＴＮ）間のインターフェースを提供することにより、通話がマルチモードＷＣＤ１４と相互に転送できるようにする。代替としてまたはこれに加えて、基地局１２はパケットベースの音声情報またはパケットベースデータの伝送のためのパケットベースネットワークに結合されてもよい。基地局１２はベース・トランシーバ・システム（ＢＴＳ）と称されるときがある。
【００２２】
マルチモードＷＣＤ１４は、アンテナ１８、受信機／送信機２０、可変ＲＦ変調器２２および移動局モデム（ＭＳＭ）２４を含む。受信機／送信機２０はアンテナ１８を介して基地局１２から無線信号１６Ａ〜１６Ｃ（「信号１６」）を受信する。マルチモードＷＣＤ１４は同時に１つまたは複数の基地局１２と通信する。マルチモードＷＣＤ１４がある領域を通過して移動するとき、１つの基地局１２との通信を終了し、一連のソフトおよびハードハンドオフを使用して信号の強度または誤り率に基づいて他の基地局１２との通信を開始する。
【００２３】
マルチモードＷＣＤ１４は、その上で動作している基地局１２の１つからのサービス信号を検索する。例えば、受信機／送信機２０は、アンテナ１８を介して複数の周波数帯域上の一連のＣＤＭＡサービス要求を最初に送信して、基地局１２の１つからＣＤＭＡサービスを取得してもよい。サービス信号は、ＣＤＭＡ通信モードの高周波数帯域、例えば１９００または２１００ＭＨｚ、または低周波数帯域すなわち８５０ＭＨｚ内で動作してもよい。ＣＤＭＡサービス信号が検出されない場合、受信機／送信機２０は次に、アンテナ１８を介して複数の周波数帯域上で一連のＧＳＭサービス要求を送信して、基地局１２の１つからＧＳＭサービスを取得してもよい。サービス信号は、ＧＳＭ通信モードの高周波数帯域すなわち１８００〜１９００ＭＨｚ、または低周波数帯域例えば８５０〜９００ＭＡｚ内で動作してもよい。
【００２４】
アンテナ１８を介してサービス信号（例えば信号１６の１つ）を受信すると、受信機／送信機２０はＭＳＭ２４に対してサービス信号を送る。ＭＳＭ２４は検出したサービス信号の通信モードを決定し、マルチモードＷＣＤ１４を作動する同等の通信モードを選択する。ＭＳＭ２４はまた、検出されたサービス信号が動作している周波数帯域に基づいて選択される通信モードの周波数帯域を決定する。ＭＳＭ２４は次に、通信モードの周波数帯域に対するパラメータおよび出力電力を決定し、決定されたパラメータを可変ＲＦ変調器２２に送る。パラメータは１つまたは複数の利得、帯域幅、バイアス電流、バイアス電圧および共通モード電圧を含んでもよい。ＭＳＭ２４はまた、信号、例えばオーディオまたはビデオ信号を、ＷＣＤ１４のユーザからＲＦ変調器２２に送る。
【００２５】
可変ＲＦ変調器２２は、可変ＲＦ変調器２２の単一変調パスにおいて２つまたはそれ以上の異なる通信モードによる動作を可能にする技術を実現する。この技術により、可変ＲＦ変調器２２内のディジタルコントローラは、ＭＳＭ２４により選択された通信モードに基づいてＲＦ変調器２２の単一変調パスに沿って可変構成要素のパラメータを設定できる。説明目的のために、ここでは、可変ＲＦ変調器２２は、可変ＲＦ変調器２２のＣＤＭＡ変調パスを構成してＧＳＭ通信モードをサポートするとして説明されている。他の実施形態では、２つを超える通信モードまたは異なる通信モードが可変ＲＦ変調器２２の単一変調パスにおいて動作するように構成されてもよい。ここに記載される技術は、マルチモードＷＣＤによりサポートされる各通信モードに対して個別の変調パスを含む必要性を無くすることにより、マルチモードＷＣＤ内のＲＦ変調器を製造するコストを低減できる。
【００２６】
可変ＲＦ変調器２２内のディジタルコントローラはＭＳＭ２４からの決定されたパラメータを使用して、可変ＲＦ変調器２２の単一変調パスに沿って可変構成要素を設定する。場合によっては、ディジタルコントローラは単に、選択された通信モードの周波数帯域に関連するこれらの可変構成要素を設定するだけでよい。可変ＲＦ変調器２２は次に、マルチモードＷＣＤ１４が動作する通信モードに従って単一変調パスによりマルチモードＷＣＤ１４のユーザからの信号を処理してもよい。可変ＲＦ変調器２２に含まれるディジタルコントローラは選択された通信モードに基づいて可変ＲＦ変調器２２の出力ポートを選択する。可変ＲＦ変調器は次に、選択された通信モードの周波数帯域に対して十分な利得および出力電力を有する処理されたユーザ信号を、選択された出力ポートを通してマルチモードＷＣＤに組み込まれた受信機／送信機２０に送る。受信機／送信機２０はその後、処理された信号を送信する。
【００２７】
図２は図１の移動局モデム２４および可変ＲＦ変調器２２をさらに詳細に示したブロック図である。ＭＳＭ２４は検出されたサービス信号の通信モードに基づいてマルチモードＷＣＤ１４を作動する通信モードを選択する。例えば、ＭＳＭ２４はＣＤＭＡ通信モード、ＧＳＭ通信モードまたは別の通信モードの１つを選択してもよい。加えて、ＭＳＭ２４は、検出されるサービス信号が動作していた周波数帯域に基づいて選択された通信モードに対する周波数帯域を決定する。
【００２８】
図示された実施形態では、ＭＳＭ２４は電力コントローラ３０、シリアルバスインターフェース（ＳＢＩ）３２、電圧パルス密度変調器（ＰＤＭ）３４、ディジタル増幅器３６およびＤ−Ａ変換器（ＤＡＣ）３８を含む。電力コントローラ３０は選択された通信モードの周波数帯域に対するパラメータおよび出力電力を決定する。電力コントローラ３０は次に、可変ＲＦ変調器２２に接続された外部電力増幅器５２に決定された出力電力を送る。電力コントローラ３０は決定されたパラメータをディジタル増幅器３６ならびに電圧ＰＤＭ３４またはＳＢＩ３２に送る。電圧ＰＤＭ３４またはＳＢＩ３２の１つは次に、出力を可変ＲＦ変調器２２に送る。
【００２９】
ディジタル増幅器３６はパラメータにおいて決定された利得を使用して、マルチモードＷＣＤ１４のユーザから受信される、ディジタルベースバンドユーザ信号、例えば音声またはビデオ信号を増幅または減衰する。ディジタルベースバンドユーザ信号は、ベースバンド同相差分信号、すなわちプラスおよびマイナス信号
【数１】
2009508449.tif 000003
【００３０】
および同相差分信号から９０度位相シフトされたベースバンド直交差分信号
【数２】
2009508449.tif 000004
【００３１】
を備えていてもよい。ＤＡＣ３８は次に、ディジタルベースバンド信号をアナログベースバンド信号に変換する。ＤＡＣ３８はアナログベースバンド信号を可変ＲＦ変調器２２に送る。
【００３２】
可変ＲＦ変調器２２は、ディジタルコントローラ４０、基準電流４１、局部発振器（ＬＯ）システム４２、アップコンバータ４４、ＲＦ可変利得増幅器（ＶＧＡ）４８およびドライバ増幅器５０を含む。アップコンバータ４４は、ベースバンドフィルタ４５、ベースバンドＶＧＡおよびＲＦミキサ４７を含む。ＲＦミキサ４７、ＲＦ  ＶＧＡ４８およびドライバ増幅器５０のそれぞれの１つは、選択された通信モードの高周波数帯域例えば１７００〜２１００ＭＨｚと関連付けられてもよい。ＲＦミキサ４７、ＲＦ  ＶＧＡ４８およびドライバ増幅器５０のそれぞれの別の１つは、選択された通信モードの低周波数帯域、例えば８２４〜９１５ＭＨｚと関連付けられてもよい。他の実施形態では、より多いまたはより少ない周波数帯域または異なる周波数帯域に関連付けられる可変構成要素は可変ＲＦ変調器２２に含まれてもよい。
【００３３】
ディジタルコントローラ４０は決定されたパラメータに対する電圧ＰＤＭ３４の１つの出力またはＳＢＩ３２の出力を受け取る。ディジタルコントローラ４０は、決定されたパラメータに基づいて可変ＲＦ変調器２２内の可変構成要素に対して利得制御信号を生成するために、参照テーブルまたは別の手段を含んでもよい。図示された実施形態では、可変構成要素はベースバンドフィルタ４５、ベースバンドＶＧＡ４６、ＲＦ  ＶＧＡ４８およびドライバ増幅器５０を含む。ディジタルコントローラ４０はＭＳＭ２４から決定されたパラメータを用いて、可変ＲＦ変調器２２の単一変調パスに沿って可変構成要素のそれぞれの、利得、帯域幅、バイアス電流、バイアス電圧および共通モード電圧といった、パラメータを設定することにより、選択された通信モードに従ってアナログベースバンド信号を処理する。場合によっては、ディジタルコントローラ４０は単に、選択された通信モードの周波数帯域に関連するＲＦ  ＶＧＡ４８の１つおよびドライバ増幅器５０の１つのパラメータを設定するだけである。
【００３４】
ディジタルコントローラ４０は、アップコンバータ４４内のベースバンドフィルタ４５に対する所望のパラメータ設定値に基づいて基準電流４１（Ｉｒｅｆ）を設定する。次に、基準電流４１はＭＳＭ２４内のＤＡＣ３８に供給され、ＤＡＣ３８を介してベースバンドフィルタ４５のパラメータを設定する。ディジタルコントローラ４０は、ベースバンドＶＧＡ４６のパラメータ、選択された通信モードの周波数帯域に関連付けられるＲＦ  ＶＧＡ４８の１つおよび可変構成要素４６、４８および５０のそれぞれに対する所望のパラメータ設定値に基づいて選択された通信モードの周波数帯域に関連するドライバ増幅器５０の１つを設定する。
【００３５】
マルチモードＷＣＤ１４に対する利得制御配分は図２に関連付けてここで説明される。ＣＤＭＡ通信モードが選択された通信モードである場合においては、全体で１１８ｄＢの利得制御が可能である。１１８ｄＢの利得制御は外部電力増幅器５２に対するオプションの１２ｄＢの利得制御を含む。可変ＲＦ変調器２２は９４ｄＢの利得制御を提供してもよい。例えば、ＭＳＭ２４に含まれる電力コントローラ３０により決定される利得はディジタル増幅器３６に対して最大１２ｄＢの利得制御を提供してもよい。加えて、ディジタルコントローラ４０は、基準電流４１および同様にベースバンドフィルタ４５に対して最大２０ｄＢの利得制御を提供してもよい。さらに、ディジタルコントローラ４０はまた、ベースバンドＶＧＡ４６に対して最大１８ｄＢの利得制御を、ＲＦ  ＶＧＡ４８に対して最大２４ｄＢの利得制御を、ドライバ増幅器５０に対して最大３２ｄＢの利得制御を提供してもよい。ＧＳＭ通信モードが選択された通信モードである場合においては、同様の利得制御配分が決定されてもよい。
【００３６】
図３はマルチモードＷＣＤに組み込まれた可変ＲＦ変調器の単一変調パスを有するマルチモードＷＣＤに対して選択された通信モードに従って信号を処理する例示的な動作を示すフローチャートである。ここでは、動作は図２に示されたマルチモードＷＣＤ１４内のＭＳＭ２４および可変ＲＦ変調器２２に関して説明される。ＭＳＭ２４は、例えば図１の基地局１２の１つなどの基地局からのサービス信号を検出し、マルチモードＷＣＤ１４を作動する通信モードを、検出されたサービス信号の通信モードに基づいて選択する（５６）。
【００３７】
例えば、ＭＳＭ２４は、ＣＤＭＡ通信モード、ＧＳＭ通信モードまたは他の通信モードに準拠するサービス信号を検出してもよい。加えて、ＭＳＭ２４は、検出されたサービス信号が動作している周波数帯域に基づいて選択された通信モードの周波数帯域を決定してもよい。例えば、検出されたサービス信号は通信モードの高周波数帯域、例えば１７００〜２１００ＭＨｚ、または低周波数帯域、例えば８２４〜９１６ＭＡｚの１つの中で動作してもよい。例えばＣＤＭＡモードの高周波数帯域は約１９００または２１００ＭＨｚであり、ＣＤＭＡモードの低周波数帯域は約８５０ＭＨｚである。ＧＳＭモードの高周波数帯域は約１８００〜１９００ＭＨｚの間であり、ＧＳＭモードの低周波数帯域は約８５０〜９００ＭＨｚの間である。もちろん、ここに説明されている同一技術はまた、他の周波数帯域で動作する他の通信モードにおいて有効に作用できる。
【００３８】
ＭＳＭ２４内の電力コントローラ３０は、利得、帯域幅、バイアス電流、バイアス電圧およびコモンモード電圧いったパラメータ、ならびに選択された通信モードの周波数帯域内で信号を送信するために必要な出力電力を決定する（５８）。電力コントローラ３０は次に、決定されたパラメータをディジタル増幅器３６と電圧ＰＤＭ３４またはＳＢＩ３２の１つとに送る。電力コントローラ３０は決定された出力電力を、可変ＲＦ変調器２２に接続された外部電力増幅器５２に送る。ＳＢＩ３２または電圧ＰＤＭ３４の１つは次に、決定されたパラメータを可変ＲＦ変調器２２内のディジタルコントローラ４０に送る（６０）。
【００３９】
ＭＳＭ２４はまた、送信のためにマルチモードＷＣＤ１４のユーザからディジタルベースバンド信号を受信してもよい。ディジタルベースバンドユーザ信号は、ベースバンド同相差分信号およびベースバンド直交差分信号を備えてもよい。ディジタル増幅器３６は電力コントローラ３０から決定されたパラメータに含まれる利得に基づいてディジタルベースバンド信号を増幅または減衰する。ＤＡＣ３８は次にディジタルベースバンド信号をアナログベースバンド信号に変換し、可変ＲＦ変調器２２内のアップコンバータ４４にアナログベースバンド信号を送る（６２）。
【００４０】
ディジタルコントローラ４０は決定されたパラメータに対する電圧ＰＤＭ３４の出力およびＳＢＩ３２の出力を受信する。ディジタルコントローラ４０は、決定されたパラメータに基づいて可変ＲＦ変調器２２内の可変構成要素に対して利得制御信号を生成するために、参照テーブルまたは別の手段を含んでもよい。図示された実施形態では、可変構成要素は、ベースバンドフィルタ４５、ベースバンドＶＧＡ４６、ＲＦ  ＶＧＡ４８およびドライバ増幅器５０を含む。ディジタルコントローラ４０はＭＳＭ２４から決定されたパラメータに基づいて可変ＲＦ変調器２２の単一変調パスに沿って可変構成要素のそれぞれのパラメータを設定して、選択された通信モードに従ってアナログベースバンド信号を処理する（６４）。場合によっては、ディジタルコントローラ４０は単に、選択された通信モードの周波数帯域に関連付けられたＲＦ  ＶＧＡ４８の１つおよびドライバ増幅器５０の１つのパラメータを設定するだけである。
【００４１】
ディジタルコントローラ４０はアップコンバータ４４内のベースバンドフィルタ４５に対する所望のパラメータの設定に基づいて基準電流４１（Ｉｒｅｆ）を設定する。基準電流４１は、次に、ＭＳＭ２４内のＤＡＣ３８に供給され、ＤＡＣ３８を介してベースバンドフィルタ４５のパラメータを設定する。ディジタルコントローラ４０はベースバンドＶＧＡ４６、選択された通信モードの周波数帯域に関連するＲＦ  ＶＧＡ４８の１つ、ならびに可変構成要素４６、４８および５０のそれぞれに対する所望のパラメータの設定に基づいて選択された通信モードの周波数帯域に関連するドライバ増幅器５０の１つ、の各パラメータを直接設定する。
【００４２】
ベースバンドフィルタ４５はディジタルコントローラ４０により間接的に設定されるパラメータに基づいてＤＡＣ３８から受け取るアナログベースバンド信号を低域フィルタリングする（６６）。ベースバンドＶＧＡ４６は次に、ディジタルコントローラ４０により設定される利得に基づいてアナログベースバンド信号を増幅または減衰して、アナログ中間周波数信号を生成する（６８）。選択された通信帯域、例えば高周波数帯域または低周波数帯域の周波数帯域に関連するＦミキサ４７の１つは、ベースバンドＶＧＡ４６からのアナログ中間周波数信号ならびにＬＯシステム４２からのＲＦ信号を受け取る。ＬＯシステム４２は、ＲＦミキサ４７の１つにのみＲＦ同相および直交差分信号を提供することによって、選択された通信モードの周波数帯域に関連するＲＦミキサ４７の１つを駆動する、ＬＯバッファを含む。選択された通信モードの周波数帯域に関連するＲＦミキサ４７の１つは次に、アナログ中間周波数信号からＲＦ信号を生成する（７０）。
【００４３】
ＲＦ  ＶＧＡ４８の１つは、ディジタルコントローラ４０により設定された利得に基づいてＲＦミキサ４７の１つからＲＦ信号を増幅または減衰する（７２）。ドライバ増幅器５０の１つはディジタルコントローラ４０により設定された利得に基づいてＲＦ  ＶＧＡ４８の１つからＲＦ信号を増幅または減衰する（７４）。ディジタルコントローラ４０は次に、選択された通信モードに基づいてドライバ増幅器５０の１つの出力ポートを選択する（７６）。ドライバ増幅器５０の１つは次に、選択された通信モードの周波数帯域に対して十分な利得および出力電力を有するＲＦ信号を、選択された出力ポートを介して可変ＲＦ変調器２２から受信機／送信機２０に送る（７８）。図２に示された実施形態では、ドライバ増幅器５０の１つは、最初に、ＲＦ信号を電力増幅器５２に送り、この電力増幅器５２は電力コントローラ３０から決定された出力に基づいてＲＦ信号を増幅または減衰し、その後に受信機／送信機２０にＲＦ信号を送る。
【００４４】
図４は図２の可変ＲＦ変調器２２をさらに詳細に示している。可変ＲＦ変調器２２はＭＳＭ２４からのベースバンドアナログユーザ信号を受け取る。図４に示された実施形態では、ベースバンドアナログユーザ信号は、ベースバンド同相差分信号
【数３】
2009508449.tif 000005
【００４５】
および同相差分信号から９０度位相シフトされたベースバンド直交差分信号
【数４】
2009508449.tif 000006
【００４６】
を備える。
【００４７】
上述のとおり、ディジタルコントローラ４０はＭＳＭ２４から決定されたパラメータを受信する。ディジタルコントローラ４０は、決定されたパラメータに基づいて可変ＲＦ変調器２２内の可変構成要素に対して利得制御信号を生成するために、参照テーブルまたは別の手段を含んでもよい。図４では、可変構成要素はベースバンドフィルタ４５、ベースバンドＶＧＡ４６、ＲＦ  ＶＧＡ４８およびドライバ増幅器５０を含む。ディジタルコントローラ４０は、ＭＳＭ２４からの決定されたパラメータを用いて、可変ＲＦ変調器２２の単一変調パスに沿って可変構成要素のそれぞれのパラメータを設定し、選択された通信モードに従ってアナログベースバンド信号を処理する。場合によっては、ディジタルコントローラ４０は単に、選択された通信モードの周波数帯域に関連するＲＦ  ＶＧＡ４８の１つおよびドライバ増幅器５０の１つのパラメータを設定するだけである。
【００４８】
図４の例では、モード切換え、電源切断および利得制御を含む、可変ＲＦ変調器２２のすべての態様は、ＭＳＭ２４のＳＢＩ３２を介したディジタル制御下にある。ＣＤＭＡ通信モードで動作するマルチモードＷＣＤ１４内の利得制御は別個のステップである。例えば、基準電流４１、ベースバンドＶＧＡ４６、ＲＦ  ＶＧＡ４８およびドライバ増幅器５０を介するベースバンドフィルタ４５における利得制御は２５６の別個のステップから構成される。ディジタルコントローラ４０は、電圧ＰＤＭ３４から受け取るアナログ電圧をサンプリングする８ビットのＡ−Ｄ変換器を用いて、または、電圧ＰＤＭ３４から直接パルス密度変調された１ビット信号を受信するディジタルフィルタを通してＰＤＭ電圧を通過させることで８ビット信号から１ビット信号に変換することにより、可変ＲＦ変調器２２内の可変構成要素のそれぞれに対する内部利得制御信号を生成する。Ａ−Ｄ変換器またはディジタルフィルタの出力は、可変ＲＦ変調器２２の単一変調パスに沿って可変構成要素のそれぞれに対してｄＢ利得の線形制御特性を与える参照テーブルに供給される。ＧＳＭ通信モードで動作するマルチモードＷＣＤ１４内の利得制御およびフィルタ帯域幅は各スロットに対するバーストに先立ってプログラム化される。ＲＦ信号の遷移はスロットの開始端を示す。遷移はまた各スロットに対する異なる利得およびフィルタ帯域幅設定をロードする。
【００４９】
アップコンバータ４４は、同相ベースバンドフィルタ４５Ａ、直交ベースバンドフィルタ４５Ｂ、同相ベースバンドＶＧＡ４６Ａ、直交ベースバンドＶＧＡ４６Ｂ、低域ＲＦミキサ４７Ａおよび高域ＲＦミキサ４７Ｂを含む。図４に示された実施形態では、ベースバンドフィルタ４５Ａ、４５Ｂは低域フィルタを含む。入力バッファ（図示せず）はＭＳＭ２４からのベースバンドＩおよびＱ差分信号を受信し、ベースバンドＩ差分信号をベースバンドフィルタ４５Ａに供給し、ベースバンドＱ差分信号をベースバンドフィルタ４５Ｂに供給する。ベースバンドフィルタ４５Ａおよび４５Ｂは、ベースバンドフィルタに対するディジタルコントローラ４０からの利得制御信号により設定されるパラメータに基づいて、それぞれのベースバンド差分信号を低域フィルタリングする。
【００５０】
同相ベースバンドフィルタ４５Ａは次に、同相ベースバンドＶＧＡ４６ＡにフィルタリングされたベースバンドＩ差分信号を供給し、直交ベースバンドフィルタ４５Ｂは直交ベースバンドＶＧＡ４６ＢにフィルタリングされたベースバンドＱ差分信号を供給する。ベースバンドＶＧＡ４６Ａおよび４６Ｂは、ディジタルコントローラ４０からベースバンドＶＧＡに対して利得制御信号により設定される利得に基づいてそれぞれフィルタリングされたベースバンド差分信号を増幅または減衰する。このように、ベースバンドＶＧＡ４６Ａおよび４６Ｂはフィルタリングされたベースバンド差分信号から中間周波数差分信号を生成する。
【００５１】
同相ベースバンドＶＧＡ４６Ａは、選択された通信モードの周波数帯域に関連する低域ＲＦミキサＡおよび高域ＲＦミキサ４７Ｂの１つに中間周波数Ｉ差分信号を出力する。直交ベースバンドＶＧＡ４６Ｂもまた、選択された通信モードの周波数帯域に関連する低域ＲＦミキサ４７Ａおよび高域ＲＦミキサ４７Ｂの１つに中間周波数Ｑ差分信号を出力する。例えば、ＭＳＭ２４が、選択された通信モード例えばＣＤＭＡまたはＧＳＭの周波数帯域が低周波数帯域（例えば８２４〜９１５ＭＨｚ）を備えることを決定する場合、次にベースバンドＶＧＡ４６Ａおよび４６Ｂは、低域ＲＦミキサ４７Ａにそれぞれの中間周波数差分信号を出力する。加えて、ＭＳＭ２４が、選択された通信モード例えばＣＤＭＡまたはＧＳＭの周波数帯域が高周波数帯域（例えば１７００〜２１００ＭＨｚ）を備えることを決定する場合、次にベースバンドＶＧＡ４６Ａおよび４６Ｂは高域ＲＦミキサ４７Ｂにそれぞれの中間周波数差分信号を出力する。
【００５２】
ＬＯシステム４２は位相同期ループ（ＰＬＬ）８６および約３．２ＧＨｚと４ＧＨｚとの間の周波数を備える差分ＲＦ  ＬＯ信号を出力する発振器８７を含む。ＬＯシステム４２はまた、発振器８７の出力から低周波数帯域信号を生成する、４除算のモジュール８８および発振器８７の出力から高周波数帯域信号を生成する２除算のモジュール９２を含む。例えば、４除算モジュール８８は約８００ＭＨｚと１０００ＭＨｚの間の周波数を備える差分ＲＦ  ＬＯ信号を生成する。２除算モジュール９２は約１６００ＭＨｚと２０００ＭＨｚの間の周波数を備える差分ＲＦ  ＬＯ信号を生成する。ＬＯシステム４２内のＬＯバッファ（図示せず）は、低周波数帯域に対する４除算モジュール８８または高周波数帯域に対する２除算モジュール９２のどちらかに対して、発振器８７から、差分ＲＦ  ＬＯ信号を一時保持することにより、選択された通信モードの周波数帯域に関連するＲＦミキサ４７Ａ、４７Ｂの１つを駆動する。
【００５３】
４除算モジュール８８から出力される低周波数帯域差分信号は低域同相ＬＯバッファ８９および低域直交ＬＯバッファ９０によりバッファされる。低域バッファ８９および９０はアップコンバータ４４の低域ＲＦミキサ４７ＡにそれぞれのＲＦ信号出力を送る。２除算モジュール９２から出力される高周波数帯域差分信号は高域同相ＬＯバッファ９３および高域直交ＬＯバッファ９４により一時保持される。高域バッファ９３および９４はアップコンバータ４４の高域ＲＦミキサ４７ＢにそれぞれのＲＦ信号出力を送る。
【００５４】
低域ＲＦミキサ４７Ａは同相乗算器８０、直交乗算器８１および加算器８２を含む。選択された通信モードの周波数帯域が低周波数帯域である場合は、同相乗算器８０は同相ベースバンドＶＧＡ４６Ａから中間周波数Ｉ差分信号をおよび低域同相ＬＯバッファ８９からＲＦ  Ｉ差分信号を受信する。直交乗算器８１は直交ベースバンドＶＧＡ４６Ｂから中間周波数Ｑ差分信号をおよび低域直交ＬＯバッファ９０からＲＦ  Ｑ差分信号を受信する。乗算器８０および８１は加算器８２により加算され、高調波除去フィルタ９５に送られるＲＦ差分信号を生成する。
【００５５】
高調波除去フィルタ９５は低域ＲＦミキサ４７ＡからのＲＦ差分信号の３次およびそれ以上の高調波を除去する。高調波除去フィルタ９５がアップコンバータ４４に含まれていない場合、ＲＦ差分信号の高調波は、低域ドライバ増幅器５０Ａの３次非線形性のため、低域ドライバ増幅器５０ＡにおいてＲＦ差分信号の基本波と混合する。３次非線形性は送信機２０の隣接チャネル漏れ比を低くする。送信機２０の隣接チャネル洩れ比が向上するほど、送信機２０における隣接チャネルの電力干渉はより少なくなる。高調波除去フィルタ９５は次に、フィルタリングされたＲＦ差分信号を低域ＲＦ  ＶＧＡ４８Ａに送る。
【００５６】
低域ＲＦ  ＶＧＡ４８Ａは、ディジタルコントローラ４０から選択された通信モードの周波数帯域に関連するＲＦ  ＶＧＡの１つに対して利得制御信号により設定される利得に基づいて、低域ＲＦミキサ４７ＡからＲＦ差分信号出力を増幅または減衰する。低域ＲＦ  ＶＧＡ４８は次に、ＲＦ差分信号を変圧器９６を通過させることにより単一ＲＦ信号を生成する。低域ドライバ増幅器５０Ａは、ディジタルコントローラ４０から選択される通信モードの周波数帯域に関連するドライバ増幅器の１つに対して利得制御信号により設定される利得に基づいて、低域ＲＦ  ＶＧＡ４８ＡからＲＦ信号を増幅または減衰する。
【００５７】
低域ドライバ増幅器５０ＡはＣＤＭＡ通信モード出力ポート９７およびＧＳＭ通信モード出力ポート９８を含む。ディジタルコントローラ４０はＭＳＭ２４により選択された通信モードに基づいて低域ドライバ増幅器５０Ａの出力ポート９７および９８の１つを選択し、そのモードでマルチモードＷＣＤ１４を作動する。選択された通信モードがＣＤＭＡ通信モードを備える場合は、ディジタルコントローラ４０は、選択されたＣＤＭＡ通信モードの低周波数帯域、例えば８５０ＭＨｚに対して十分な利得および出力電力を提供する低域ドライバ増幅器５０ＡのＣＤＭＡ出力ポート９７を選択する。選択された通信モードがＧＳＭ通信モードを備える場合は、ディジタルコントローラ４０は、選択されたＧＳＭ通信モードの低周波数帯域、例えば８５０〜９００ＭＨｚに対して十分な利得および出力を提供する低域ドライバ増幅器５０ＡのＧＳＭ出力ポート９８を選択する。
【００５８】
高域ＲＦミキサ４７Ｂは、同相乗算器８３、直交乗算器８４および加算器８５を含む。選択された通信モードの周波数帯域が高周波数帯域である場合は、同相乗算器８３は同相ベースバンドＶＧＡ４６Ａから中間周波数Ｉ差分信号をおよび高域同相ＬＯバッファ９３からＲＦ  Ｉ差分信号を受信する。直交乗算器８４は直交ベースバンドＶＧＡ４６Ｂから中間周波数Ｑ差分信号をおよび高域直交ＬＯバッファ９４からＲＦ  Ｑ差分信号を受信する。乗算器８３および８４は加算器８５により加算され、高調波除去フィルタ９９に送られるＲＦ差分信号を生成する。
【００５９】
高調波除去フィルタ９９は高域ＲＦミキサ４７ＢからのＲＦ差分信号の３次およびそれ以上の高調波を除去する。高調波除去フィルタ９９がアップコンバータ４４に含まれていない場合、ＲＦ差分信号の高調波は、低域ドライバ増幅器５０Ｂにおける３次非線形性のため、高域ドライバ増幅器５０ＢにおいてＲＦ差分信号の基本波と混合する。３次非線形性は送信機２０の隣接チャネル漏れ比を低くする。送信機２０の隣接チャネル漏れ比が向上するほど、送信機２０における隣接チャネルの電力干渉は少なくなる。高調波除去フィルタ９９は次に、高域ＲＦ  ＶＧＡ４８ＢにフィルタリングされたＲＦ差分信号を送る。
【００６０】
高域ＲＦ  ＶＧＡ４８Ｂは、ディジタルコントローラ４０から選択された通信モードの周波数帯域に関連するＲＦ  ＶＧＡの１つに対する利得制御信号により設定される利得に基づいて、高域ＲＦミキサ４７ＢからのＲＦ差分信号出力を増幅または減衰する。高域ＲＦ  ＶＧＡ４８Ｂは次に、ＲＦ差分信号を変圧器１００を通過させることにより単一ＲＦ信号を生成する。高域ドライバ増幅器５０Ｂはディジタルコントローラ４０から選択された通信モードの周波数帯域と関連するドライバ増幅器の１つに対する利得制御信号により設定される利得に基づいて、高域ＲＦ  ＶＧＡ４８ＢからＲＦ信号を増幅または減衰する。
【００６１】
高域ドライバ増幅器５０ＢはＣＤＭＡ通信モード出力ポート１０１およびＧＳＭ通信モード出力ポート１０２を含む。ディジタルコントローラ４０はＭＳＭ２４により選択された通信モードに基づいて高域ドライバ増幅器５０Ｂの出力ポート１０１および１０２の１つを選択し、そのモードでマルチモードＷＣＤ１４を作動する。選択された通信モードがＣＤＭＡ通信モードを備える場合は、ディジタルコントローラ４０は、選択されたＣＤＭＡ通信モードの高周波数帯域、例えば１９００または２１００ＭＨｚに対する十分な利得および出力電力を提供する、高域ドライバ増幅器５０ＢのＣＤＭＡ出力ポート１０１を選択する。選択された通信モードがＧＳＭ通信モードを備える場合は、ディジタルコントローラ４０は、選択されたＧＳＭ通信モードの高周波数帯域、例えば１８００〜１９００ＭＨｚに対する十分な利得および出力電力を提供する、高域ドライバ増幅器５０ＢのＧＳＭ出力ポート１０２を選択する。
【００６２】
図５は図４のディジタルコントローラ４０の例示的な実施形態を示している。ディジタルコントローラ４０はＭＳＭ２４から決定されたパラメータに基づいて可変ＲＦ変調器２２の単一変調パスに沿って可変構成要素のそれぞれのパラメータを設定し、選択された通信モードに従ってアナログベースバンド信号を処理する。パラメータは、利得、帯域幅、バイアス電流、バイアス電圧およびコモンモード電圧を含んでもよい。
【００６３】
ディジタルコントローラ４０はＡ−Ｄ変換器（ＡＣＤ）１１０、多重化装置（ｍｕｘ）１１２および参照テーブル１１４を含む。ＡＣＤ１１０はＭＳＭ２４の電圧ＰＤＭ３４からアナログ電圧信号を受け取り、アナログ電圧信号をディジタル電圧信号に変換する。Ｍｕｘ１１２は電圧ＰＤＭ３４のディジタル出力、および選択された通信モードの周波数帯域について決定されたパラメータに対するＭＳＭ２４のＳＢＩ３２からの出力を受信する。Ｍｕｘ１１２は、電圧ＰＤＭ３４のディジタル出力または決定されたパラメータに対するＳＢＩ３２からの出力の１つを参照テーブル１１４に供給する。参照テーブル１１４は決定されたパラメータに基づいて可変ＲＦ変調器２２内の可変構成要素に対する利得制御信号を生成する。
【００６４】
図示された実施形態では、参照テーブル１１４は、ベースバンドフィルタ参照テーブル（ＬＵＴ）１１６、ベースバンドＶＧＡＬＵＴ１１７、ＲＦ  ＶＧＡＬＵＴ１１８およびドライバ増幅器ＬＵＴ１１９を含む。ＬＵＴ１１６〜１１９のそれぞれは、可変ＲＦ変調器２２の単一変調パスに沿ってそれぞれの可変構成要素に対する利得制御信号を生成する。例えば、ＬＵＴ１１６〜１９９とそれぞれの可変構成要素との間の利得制御信号は８ビット制御語を備えてもよいが、これは他の実現形態において変更されてもよい。ＬＵＴのそれぞれは、可変構成要素に対する利得制御範囲（Ｇｒａｎｇｅ）および利得率制御（Ｐｍａｘ）に基づいてそれぞれの可変構成要素に対する利得制御信号を生成してもよい。
【００６５】
例として、ＬＵＴ１１６〜１１９のそれぞれは以下の関数に従って利得制御信号を生成してもよい。
【数５】
2009508449.tif 000007
【００６６】
ここで、ＧｒａｎｇｅおよびＰｍａｘは可変ＲＦ変調器２２内のそれぞれの可変構成要素に対して参照テーブルにより設定される。式（１）では、Ｇｒａｎｇｅは各可変構成要素において要求される利得制御に対してリストアップされる値であり、Ｐｍａｘは各可変構成要素がこれらの最大利得に到達する速さを制御する。例えば、ＣＤＭＡ通信モードの場合は、基準電流４１を介するベースバンドフィルタ４５に対してはＧｒａｎｇｅは２０ｄＢであり、Ｐｍａｘは２３０ｍＷであって、ベースバンドＶＧＡ４６に対してはＧｒａｎｇｅは１８ｄＢであり、Ｐｍａｘは２４０．９ｍＷであって、ベースバンドＶＧＡ４８に対してはＧｒａｎｇｅは２４ｄＢであり、Ｐｍａｘは２４８．２ｍＷであって、ドライバ増幅器５０に対してはＧｒａｎｇｅは３２ｄＢであり、Ｐｍａｘは２４８．２ｍＷである。
【００６７】
ベースバンドフィルタＬＵＴ１１６は選択された通信モードに従って動作するベースバンドフィルタ４５に対する利得制御信号に基づいて基準電流４１（Ｉｒｅｆ）を設定する。基準電流４１は次に、ＭＳＭ２４内のＤＡＣ３８に供給され、ＤＡＣ３８を介してベースバンドフィルタ４５のパラメータを設定する。ベースバンドＶＧＡ  ＬＵＴ１１７は選択された通信モードに従って動作するベースバンドＶＧＡに対する利得制御信号に基づいてベースバンドＶＧＡ４６のパラメータを直接設定する。ＲＦ  ＶＧＡ  ＬＵＴ１１８は選択された通信モードに従って動作するＲＦ  ＶＧＡ４８の１つに対する利得制御信号に基づいて選択された通信モードの周波数帯域に関連するＲＦ  ＶＧＡ４８の１つのパラメータを直接設定する。最終的に、ドライバ増幅器ＬＵＴ１１９は選択された通信モードに従って動作するドライバ増幅器５０の１つに対する利得制御信号に基づいて選択された通信モードの周波数帯域に関連するドライバ増幅器５０の１つのパラメータを直接設定する。
【００６８】
図６は図４のアップコンバータ４４とほぼ同様のアプコンバータ４４Ａの例示的な実施形態を示している。説明目的のために、図６は同相ベースバンドフィルタ４５Ａ、同相ベースバンドＶＧＡ４６Ａおよび低域ＲＦミキサ４７Ａのみを示している。通常、アップコンバータ４４Ａもまた直交ベースバンドフィルタ４５Ｂ、直交ベースバンドＶＧＡ４６Ｂおよび高域ＲＦミキサ４７Ｂを含む。直交ベースバンドフィルタ４５Ｂは同相ベースバンドフィルタ４５Ａとほぼ同一であり、直交ベースバンドＶＧＡ４６Ｂは同相ベースバンドＶＧＡ４６Ａとほぼ同一であり、高域ＲＦミキサ４７Ｂは低域ＲＦミキサ４７Ｂとほぼ同一であると考えてもよい。
【００６９】
アップコンバータ４４ＡはＭＳＭ２４のＤＡＣ３８から同相差分（すなわちプラスおよびマイナス）入力電流、Ｉｄａｃｐ１２０およびＩｄａｃｍ１２２を受け取る。Ｉｄａｃｐ１２０およびＩｄａｃｍ１２２は同相ベースバンドフィルタ４５Ａに入力される。同相ベースバンドフィルタ４５Ａは、トランジスタＭ１およびＭ２を含み、これらはそれぞれＩｄａｃｐ１２０およびＩｄａｃｍ１２２を、同相ベースバンドフィルタ４５Ａに含まれるキャパシタＣ１およびそれぞれのトランジスタＭ３およびＭ４に一時保持する。トランジスタＭ３およびＭ４は、ディジタルコントローラ４０からベースバンドフィルタに対する利得制御信号により設定されるパラメータに基づいて、同相差分入力電流、Ｉｄａｃｐ１２０およびＩｄａｃｍ１２２を低域フィルタリングする。通常、同相ベースバンドフィルタ４５Ａは、ベースバンドフィルタ４５に対する参照テーブル、例えば図５のベースバンドフィルタＬＵＴ１１６からの基準電流４１を介する８ビット利得制御を有する。トランジスタＭ３およびＭ４は次に、Ｉｄａｃｐ１２０およびＩｄａｃｍ１２２の低域通過分を同相ベースバンドＶＧＡ４６Ａに含まれるキャパシタＣ２およびそれぞれのトランジスタＭ６およびＭ５に送る。
【００７０】
同相ベースバンドフィルタ４５Ａは以下の式により与えられる２次低域通過伝達関数を提供する。
【数６】
2009508449.tif 000008
【００７１】
同相ベースバンドフィルタ４５Ａの帯域幅はキャパシタＣ１およびＣ２の値を変更することにより、およびＭＳＭ２４のＳＢＩ３２または電圧ＰＤＭ３４を介して電流（ｐｄｍ）を変更することにより制御されてもよい。同相ベースバンドフィルタ４５Ａの帯域幅は基準的状態においては１ＭＨｚと１２ＭＨｚの間で変更されてもよい。同相ベースバンドフィルタ４５Ａの帯域幅は選択された通信モード、例えばＣＤＭＡまたはＧＳＭに対してキャパシタＣ１およびキャパシタＣ２の値を設定することにより変更される。同相ベースバンドフィルタ４５Ａのパラメータは２次伝達関数を与えるために選択されてもよい。
【００７２】
トランジスタＭ３およびＭ６はベースバンド同相プラス信号に対するフィードバック回路を備える。トランジスタＭ６のドレインを見る入力インピーダンスはｓ・Ｃ２／ｇｍ３・ｇｍ６により近似的に与えられる。言い換えると、トランジスタＭ３およびＭ６のフィードバック回路はインダクタンスＬ＝Ｃ２／ｇｍ３・ｇｍ６を備える誘導性入力インピーダンスを実現する。トランジスタＭ６における電流の流れは以下により与えられる。
【数７】
2009508449.tif 000009
【００７３】
この式から、Ｑは
【数８】
2009508449.tif 000010
【００７４】
により与えられ、遮断周波数は
【数９】
2009508449.tif 000011
【００７５】
により与えられる。同様に、トランジスタＭ４およびＭ５はベースバンド同相マイナス信号に対するフィードバック回路を備える。
【００７６】
トランジスタＭ６およびＭ８は可変利得電流ミラーを備え、これによりトランジスタＭ８がトランジスタＭ６からのベースバンド同相プラス信号を増幅または減衰し、ディジタルコントローラ４０からのベースバンドＶＧＡに対する利得制御信号により設定される利得に基づいて、中間周波数同相プラス信号を生成する。中間周波数同相プラス信号はベースバンド同相プラス信号の倍率変更された複製である。トランジスタＭ８は、ディジタルコントローラ４０により制御されるスイッチセット１２４に基づいて、同相プラス信号を倍率変更する。加えて、トランジスタＭ５およびＭ７は可変利得電流ミラーを備え、これによりトランジスタＭ７がトランジスタＭ５からのベースバンド同相マイナス信号を増幅または減衰し、ディジタルコントローラ４０からベースバンドＶＧＡに対する利得制御信号により設定される利得に基づいて中間周波数同相マイナス信号を生成する。中間周波数同相プラス信号はベースバンド同相プラス信号の倍率変更される複製である。トランジスタＭ７はディジタルコントローラ４０により制御される、スイッチセット１２６に基づいて同相プラス信号を倍率変更する。
【００７７】
図示された例では、スイッチセット１２４およびスイッチセット１２６は、同相プラスおよびマイナス信号のそれぞれに対してそれぞれ２つのスイッチｄ０およびｄ１だけを含む。通常、同相ベースバンドＶＧＡ４６Ａは、同相ベースバンドＶＧＡに対する参照テーブルからの、例えば図５のベースバンドＶＧＡ  ＬＵＴ１１７からの８ビット利得制御を有する。したがって、同相ベースバンドＶＧＡ４６Ａ内のスイッチセット１２４およびスイッチセット１２６はそれぞれの同相差分信号に対して最大８つのスイッチｄ０〜ｄ７をそれぞれ含んでもよい。
【００７８】
説明目的のために、選択された通信モードの周波数帯域はここでは低周波数帯域とされている。他の実施形態では、選択された通信モードの周波数帯域は高周波数帯域であってもよい。同相ベースバンドＶＧＡ４６ＡのトランジスタＭ８およびＭ７からの中間周波数同相差分信号は低域ＲＦミキサ４７Ａに直接供給される。加えて、低域ＲＦミキサ４７ＡはＬＯシステムの低域同相ＬＯバッファ８９からＲＦ同相差分信号ＶｌｏｐおよびＶｌｏｍを受け取る。図６には示されていないが、低域ＲＦミキサ４７Ａはまた、直交ベースバンドＶＧＡ４６Ｂから中間周波数直交差分信号およびＬＯシステム４２の低域直交ＬＯバッファ９０からＲＦ直交差分信号を受け取る。
【００７９】
低域ＲＦミキサ４７Ａは、低域ＬＯバッファ８９、９０からのＲＦ差分信号とＶＧＡからの中間周波数差分信号を混合し、ＲＦ差分信号を生成する。低域ＲＦミキサ４７Ａから出力されるＲＦ差分信号ＩｍｉｘｐおよびＩｍｉｘｍは低域ＲＦ  ＶＧＡ４８Ａに供給される。
【００８０】
ＧＳＭ通信モードでは、アップコンバータ４４Ａに入力される差分入力電流Ｉｄａｃｐ１２０およびＩｄａｃｍ１２２はディジタルコントローラ４０からの利得制御設定によって変化しない。ＧＳＭ通信モードでは、利得制御設定は固定される。プログラム可能なキャパシタＣ１およびＣ２の値は、１０進値の９に設定され、自然電流の値はＧＳＭ通信モードに対して１０進値の６４に設定される。
【００８１】
ＣＤＭＡ通信モードでは、アップコンバータ４４Ａに入力される差分入力電流Ｉｄａｃｐ１２０およびＩｄａｃｍ１２２は、ベースバンドフィルタ４５Ａに対する利得制御信号の関数である、基準電流４１を低減することにより減少する。差分入力電流が減少すると、ｇｍ２は低下する。これは同相ベースバンドフィルタ４５Ａの帯域幅が低減される結果をもたらす。補正するために、ｇｍ１値は、Ｍ３およびＭ４を介して電流を増加することにより増加され、積ｇｍ１＊ｇｍ２を一定に維持する。プログラム可能なキャパシタＣ１およびＣ２の値はＣＤＭＡ通信モードに対して１０進値の０に設定される。
【００８２】
図７は図４のアップコンバータ４４とほぼ同一の別の例示的な実施形態であるアップコンバータ４４Ｂを示している。説明目的のために、図７は、同相ベースバンドフィルタ４５Ａ、同相ベースバンドフィルタ４６Ａおよび低域ＲＦミキサ４７Ａだけを示している。通常、アップコンバータ４４Ｂはまた、直交ベースバンドフィルタ４５Ｂ、直交ベースバンドＶＧＡ４６Ｂおよび高域ＲＦミキサ４７Ｂも含む。直交ベースバンドフィルタ４５Ｂは同相ベースバンドフィルタ４５Ａとほぼ同一であり、直交ベースバンドＶＧＡ４６Ｂは同相ベースバンドＶＧＡ４６Ａとほぼ同一であり、高域ＲＦミキサ４７Ｂは低域ＲＦミキサ４７Ａとほぼ同一であると考えてもよい。
【００８３】
アップコンバータ４４Ｂは、ＭＳＭ２４のＤＡＣ３８から同相直交（すなわちプラスおよびマイナス）入力信号ＩｄａｃｐおよびＩｄａｃｍを受け取る。ＩｄａｃｐおよびＩｄａｃｍは同相ベースバンドフィルタ４５Ａに入力される。同相ベースバンドフィルタ４５Ａは、キャパシタＣ１にＩｄａｃｐおよびＩｄａｃｍをそれぞれ一時保持する、トランジスタＭ１およびＭ２を含む。トランジスタＭ１およびＭ２は、ディジタルコントローラ４０からのベースバンドフィルタ４５に対する利得制御信号により設定されるパラメータに基づいて、同相差分入力電流ＩｄａｃｐおよびＩｄａｃｍを低域通過フィルタリングする。通常、同相ベースバンドフィルタ４５Ａはベースバンドフィルタ４５に対する参照テーブル、例えば図５からのベースバンドフィルタＬＵＴ１１６からの基準電流４１を介する８ビット利得制御を有する。トランジスタＭ１およびＭ２は次に、同相帯域ＶＧＡ４６Ａに含まれるキャパシタＣ２およびそれぞれのトランジスタＭ３およびＭ４にＩｄａｃｐおよびＩｄａｃｍの低域通過分を送る。
【００８４】
同相ベースバンドフィルタ４５Ａは以下の式により与えられる２次低域通過伝達関数を提供する。
【数１０】
2009508449.tif 000012
【００８５】
同相ベースバンドフィルタ４５Ａの帯域幅はキャパシタＣ１およびＣ２の値を変更することにより制御されてもよい。同相ベースバンドフィルタ４５Ａの帯域幅は、基準状態下で１ＭＨｚと５ＭＨｚの間で変更されてもよい。同相ベースバンドフィルタ４５Ａの帯域幅は、選択された通信モード、例えばＣＤＭＡおよびＧＳＭに対してキャパシタＣ１およびキャパシタＣ２を設定することにより変更される。同相ベースバンドフィルタ４５Ａのパラメータは２次伝達関数を与えるために選択されてもよい。
【００８６】
トランジスタＭ３はトランジスタＭ１からベースバンド同相プラス信号を増幅または減衰し、ディジタルコントローラ４０からベースバンドＶＧＡに対して利得制御信号により設定される利得に基づいて中間周波数同相プラス信号を生成する。加えて、トランジスタＭ４はトランジスタＭ２からベースバンド同相マイナス信号を増幅または減衰し、ディジタルコントローラ４０からベースバンドＶＧＡに対して利得制御信号により設定される利得に基づいて中間周波数同相マイナス信号を生成する。
【００８７】
説明目的のために、選択された通信モードの周波数帯域はここでは低周波数帯域とされる。他の実施形態では、選択された通信モードの周波数帯域は高周波数帯域であってもよい。同相帯域ＶＧＡ４６ＡのトランジスタＭ３およびＭ４からの中間周波数同相差分信号は低域ＲＦミキサ４７Ａに直接供給される。加えて、低域ＲＦミキサ４７ＡはＬＯシステム４２の低域同相ＬＯバッファ８９からＲＦ同相差分信号ＶｌｏｐおよびＶｌｏｍを受け取る。図７には示されていないが、低域ＲＦミキサ４７Ａはまた直交ベースバンドＶＧＡ４６Ｂから中間周波数直交差分信号およびＬＯシステム４２の低域直交ＬＯバッファ９０からＲＦ直交差分信号を受け取る。
【００８８】
低域ＲＦミキサ４７Ａは低域ＬＯバッファ８９、９０からのＲＦ差分信号とＶＧＡ４６からの中間周波数差分信号を混合し、ＲＦ差分信号を生成する。低域ＲＦミキサ４７Ａから出力されるＲＦ差分信号ＩｍｉｘｐおよびＩｍｉｘｍは低域ＲＦ  ＶＧＡ４８Ａに供給される。
【００８９】
ＧＳＭ通信モードでは、アップコンバータ４４Ｂに入力される差分入力電流ＩｄａｃｐおよびＩｄａｃｍは、ディジタルコントローラ４０からの利得制御設定値によって変化しない。ＧＳＭ通信モードでは、利得制御設定は固定される。ＣＤＭＡ通信モードでは、アップコンバータに入力される差分入力電流Ｉｄａｃｐ１２０およびＩｄａｃｍ１２２は、ベースバンドフィルタ４５に対する利得制御信号の関数である、基準電流４１を低減することにより減少する。差分入力電流が減少すると、ｇｍ２は低下する。これは、同相ベースバンドフィルタ４５Ａの帯域幅が低減されるという結果をもたらす。補正するために、ｇｍ１値を増加して積ｇｍ１＊ｇｍ２を一定に保つ。
【００９０】
アップコンバータ４４Ｂの図示された実施形態では、ＣＤＭＡ信号の位相は電圧ＰＤＭ設定により変化し、望ましくない位相ステップを結果としてもたらす可能性がある。ＣＤＭＡ信号の変化を最小にするために、ベースバンドフィルタ４５Ａの帯域幅は、帯域幅が低減されたとしても位相への影響が最小になるように、ＣＤＭＡ通信モードに対して必要とされる帯域幅よりも広く設定される。ＣＤＭＡ信号の変動性を最小にするための別の方法は基準電流４１の範囲を減少することである。別の方法は、入力電流と並列に電流を追加することにより、基準電流４１は変化するがｇｍ２を通して電流を一定に維持することである。
【００９１】
図８は、選択された通信モードの周波数帯域に関連するＲＦミキサ４７を駆動する、ＬＯシステム２４内のＬＯバッファ１２０の例示的な実施形態を示している。図４からのＬＯシステム２４に関して上に説明されたとおり、ＬＯバッファ１３０は、低周波数帯域に対する４除算モジュール８８または高周波数帯域に対する２除算モジュール９２のいずれかに対して、発振器８７からのＲＦ  ＬＯ信号を一時保持することにより、選択された通信モードの周波数帯域に関連するＲＦミキサ４７の１つを駆動してもよい。
【００９２】
ＬＯバッファ１３０は、電流を動的に供給および吸入できるプッシュプル増幅器を備える。差分入力電圧ＶｉｎｐおよびＶｉｎｍが増加されると、トランジスタＭ１およびＭ２は負荷に電流を供給する。差分入力電圧が低下すると、トランジスタＭ１およびＭ２のドレイン電圧が増加する。これは、トランジスタＭ３およびＭ４のゲート電圧が増加する結果をもたらし、これは負荷からの電流の吸入に役立つ。ＬＯバッファ１３０は次に選択された通信モードの周波数帯域に基づいて、４除算モジュール８８または２除算モジュール９２のいずれかに対して差分ＲＦ  ＬＯ信号出力ＶｏｐおよびＶｏｍを送る。
【００９３】
図９は図４の低周波ＬＯバッファ８９、９０および高周波ＬＯバッファ９３、９４のいずれかの例示的な実施形態を示している。選択された通信モードの周波数帯域が低周波数帯域である場合は、低域ＬＯバッファ８９および９０は４除算モジュール８８から差分信号を受信する。低域ＬＯバッファ８９および９０は次に低域ＲＦミキサ４７Ａに接続されている校正ＬＯパスに差分出力を一時保持する。選択された通信モードの周波数帯域が高周波数帯域である場合は、高域ＬＯバッファ９３および９４は２除算モジュール９２から差分信号を受信する。高域ＬＯバッファ９３および９４は次には高域ＲＦミキサ４７Ｂに接続されている校正ＬＯパスに差分出力を一時保持する。
【００９４】
ＬＯバッファ８９、９０、９３または９４は、４除算モジュール８８または２除算モジュール９２のいずれかからそれぞれの差分入力電圧ＶｉｎｐおよびＶｉｎｍを受け取るソースフォロワトランジスタＭ１およびＭ２を含む。Ｍ１およびＭ２のゲートへのＬＯ信号はＡＣ結合されている。交差結合トランジスタＭ３およびＭ４は電流を吸入するのに役立ち、またオープンドレイン出力ステージでバイアス電流を設定する。ＬＯバッファ８９、９０、９３および９４はまた、２つのダイオード接続トランジスタおよびレジスタを含む、バイアス回路１３６を含む。バイアス回路１３６はプラスＲＦ信号に対してトランジスタＭ１およびＭ３における、およびマイナスＲＦ信号に対してトランジスタＭ２およびＭ２における電圧降下を複製する。ＬＯバッファ８９、９０、９３または９４は、選択された通信モードの周波数帯域に関連するＲＦミキサ４７の１つに対して差分ＲＦ  ＬＯ信号、ＶｌｏｐおよびＶｌｏｍを出力する。
【００９５】
図１０は図４の高調波除去フィルタの例示的な実施形態を示している。説明目的のために、図１０は高調波除去フィルタ９５だけを示しており、このフィルタ９５は低域ＲＦミキサ４７ＡからのＲＦ差分信号をフィルタリングして、低域ＲＦ  ＶＧＡ４８Ａに供給する。高域ＲＦミキサ４７ＢからのＲＦ差分信号をフィルタリングして高域ＲＦ  ＶＧＡ４８Ｂに供給する高調波除去フィルタ９９は、高調波除去フィルタ９５とほぼ同一と考えてもよい。場合によっては、高調波除去フィルタをカスケード接続して、より高い除去を達成してもよい。
【００９６】
高調波除去フィルタ９５は低域ＲＦミキサ４７ＡからＲＦ差分信号ＩｉｎｐおよびＩｉｎｍを受け取る。高調波除去フィルタ９５は次に低域ＲＦミキサ４７ＡからＲＦ差分信号の３次およびより高い高調波を除去する。ＬおよびＣ２の値は３次高調波で共振し、これにより、ＲＦ差分信号の３次高調波においてインピーダンスが極めて高くなる。この結果、低域ＲＦミキサ４７ＡからのＲＦ差分信号がＣ１を通って流れ、これにより、高い周波数においてインピーダンスがより低くなる。高調波除去フィルタ９５は次に、低域ＲＦ  ＶＧＡ４８ＡにフィルタリングされたＲＦ差分信号、ＩｏｕｔｐおよびＩｏｕｔｍを送る。
【００９７】
高調波除去フィルタ９５がアップコンバータ４４に含まれていない場合、ＲＦ差分信号の高調波は、低域ドライバ増幅器５０Ａにおける３次非線形性のため、低域ドライバ増幅器５０ＡにおいてＲＦ差分信号の基本波と混合する。３次非線形性は送信機２０の隣接チャネル漏れ比を低くする。送信機２０の隣接チャネル洩れ比が向上するほど、送信機２０における隣接チャネルの電力干渉はより少なくなる。
【００９８】
図１１は図４のＲＦ  ＶＧＡ４８の例示的な実施形態を示している。説明目的のために、図９は、マイナスＲＦ信号に対するマイナス減衰器１３８および低域ＲＦミキサ４７Ａから受け取るプラスＲＦ信号に対するプラス減衰器１４４を含む、低域ＲＦ  ＶＧＡ４８Ａのみを示している。高域ＲＦ  ＶＧＡ４８Ｂは低域ＲＦ  ＶＧＡ４８Ａとほぼ同一と考えてもよい。通常、ＲＦ  ＶＧＡは８スイッチセットおよび８ダンプスイッチセットにより制御される８ビット電流減衰器を備える。各電流減衰器は５つのバイナリ加重ＮＦＥＴおよび７つのサーモメータコード化ステージを備える。サーモメータコード化はディジタルコントローラ４０からの利得制御信号を用いて出力電流の良好な線形性を維持するのに役立つ。図示された実施形態では、簡略化のために３つのスイッチだけが低域ＲＦ  ＶＧＡ４８Ａ内に示されている。
【００９９】
選択された通信モードの周波数帯域が低周波数帯域を備える場合、低域ＲＦ  ＶＧＡ４８Ａは、ディジタルコントローラ４０から選択された通信モードの周波数帯域に関連するＲＦ  ＶＧＡの１つに対して利得制御信号により設定される利得に基づいて、低域ＲＦ  ミキサ４７ＡからのＲＦ差分信号出力を増幅または減衰する。低域ＲＦ  ミキサ４７Ａの差分出力電流は低域ＲＦ  ＶＧＡ４８Ａの入力、ＩｉｎｍおよびＩｉｎｐに供給される。
【０１００】
マイナス減衰器１３８は利得制御信号により制御されるダンプスイッチセット１４０およびスイッチセット１４２を含む。ディジタルコントローラ４０からの利得制御信号は、どの程度の差分入力電流が、スイッチセット１４２に基づいてマイナス減衰器１３８の出力Ｉｏｕｔｍに送られるか、およびダンプスイッチセット１４０に基づいてマイナス減衰器１３８のダンプ出力Ｉｏｕｔ＿ｄｕｍｐに送られるかを決定する。プラス減衰器１４４もまた利得制御信号により制御されるダンプスイッチセット１４６およびスイッチセット１４８を含む。ディジタルコントローラ４０からの利得制御信号は、どの程度の差分入力電流が、スイッチセット１４８に基づいてプラス減衰器１４４の出力Ｉｏｕｔｐに送られるか、およびダンプスイッチセット１４６に基づいてプラス減衰器１４４のダンプ出力Ｉｏｕｔ＿ｄｕｍｐに送られるかを決定する。低域ＲＦ  ＶＧＡ４８Ａの配置は、要求される３０ｄＢの減衰より大きい、入力と出力との間の絶縁を維持するために重要である。
【０１０１】
例えば、ディジタルコントローラ４０からの利得制御信号はスイッチセット１４２および１４８のすべてをｈｉｇｈに設定すると（すなわち、ダンプスイッチセット１４０および１４６内のすべてのダンプスイッチをｌｏｗに設定する）、差分入力電流のすべては、それぞれの差分減衰器１３８および１４４の差分出力ＩｏｕｔｍおよびＩｏｕｔｐに送られる。利得制御信号がスイッチセット１４２および１４８のすべてをｌｏｗに設定すると（すなわち、ダンプスイッチセット１４０および１４６内のすべてのダンプスイッチをｈｉｇｈに設定する）、差分入力電流のすべては、それぞれの差分減衰器１３８および１４４の差分ダンプ出力Ｉｏｕｔ＿ｄｕｍｐに送られる。スイッチセットはバイナリ加重される。したがって、利得制御信号が、スイッチセット１４２および１４８内の一部のスイッチ（例えば３スイッチの２つ）だけをｈｉｇｈに設定する場合、差分入力電流の対応する量（例えば２／３）は差分減衰器の差分出力に送られ、差分入力電流の残りの量（例えば１／３）はダンプされる。
【０１０２】
上述のとおり、図示された例では、スイッチセット１４２および１４８はそれぞれ、３つのスイッチｄ０〜ｄ２だけを含み、ダンプスイッチセット１４０および１４２はそれぞれ３つのダンプスイッチｄ０ｂ〜ｄ２ｂだけを含む。通常、低域ＲＦ  ＶＧＡ４８Ａは、選択された通信モードの周波数帯域に関連するＲＦ  ＶＧＡ４８の１つに対する参照テーブル、例えば図５のＲＦ  ＶＧＡ  ＬＵＴ１１８からの８ビット利得制御を有する。したがって、低域ＲＦ  ＶＧＡ４８Ａ内のスイッチセット１４２および１４８ならびにダンプスイッチセット１４０および１４６はそれぞれ最大８つのスイッチｄ０〜ｄ７を含んでもよい。
【０１０３】
図１２は図４のドライバ増幅器５０の１つの例示的な実施形態を示している。説明目的のために、図１０は低域ドライバ増幅器５０Ａだけを示している。高域ドライバ増幅器５０Ｂは低域ドライバ増幅器５０Ａとほぼ同一と考えてもよい。通常、ドライバ増幅器５０は、利得制御線形性を向上するために、５つのバイナリ加重スイッチおよび３つのサーモメータコード化スイッチを含む８ビット制御を有する、８つのスイッチカスケードステージを含む。図示された実施形態では、簡略化のために２つのスイッチカスケードステージだけが低域ドライバ増幅器５０Ａ内に示されている。
【０１０４】
図９の低域ＲＦ  ＶＧＡ４８Ａは、ＲＦ差分信号Ｉｖｇａ＿ｐおよびＩｖｇａ＿ｍを変圧器９６に出力し、ＲＦ差分信号から単一ＲＦ信号を生成する。入力信号は変圧器９６を介して低域ドライバ増幅器５０Ａに供給される。変圧器９６は約３：１の巻数比を有するように設計されてもよい。変圧器９６は次にインピーダンス変換により電流利得を提供する。変圧器９６の１次側は低域ＲＦ  ＶＧＡ４８Ａの差分出力に接続されている。変圧器９６の１次側の中央タップは低域ＲＦミキサ／ＶＧＡスタックに対してバイアスを提供する。変圧器９６の１次側の入力インピーダンスは低域ドライバ増幅器５０Ａの反射入力インピーダンスにより設定される。この入力インピーダンスの実数部は、ボンドワイヤインダクタンスに低域ドライバ増幅器５０Ａの幅を掛けることにより近似的に設定される。図示された実施形態では、並列の４つのボンドワイヤを用いて、入力インピーダンスをより低くし、十分な利得を提供する。
【０１０５】
変圧器９６の２次側は、低域ドライバ増幅器５０Ａ内のバイナリおよびサーモメータデコード化スイッチカスケードステージ１５０Ａおよび１５０Ｂに接続されている。トランジスタＭ１は変圧器９６からステージ１５０Ｂに入力電流を接続し、トランジスタＭ２は変圧器９６からステージ１５０Ａに入力電流を接続する。トランジスタＭ１およびＭ２はバイナリ加重されている。したがって、ステージ１５０Ａおよび１５０Ｂのそれぞれに供給される入力電流量はそれぞれのトランジスタＭ２およびＭ１の加重により決定される。低域ドライバ増幅器５０Ａはまた、ドライバ増幅器バイアス回路からバイアス入力電流Ｉｄａ１５６を受け取る。Ｉｄａ１５６は、変圧器９６から低域ドライバ増幅器５０Ａ内の熱雑音を低減するトランジスタＭ０に入力される。
【０１０６】
変圧器９６を介してＲＦ入力信号を受け取ると、ステージ１５０Ａおよび１５０Ｂは、ディジタルコントローラ４０から選択された通信モードの周波数帯域に関連するドライバ増幅器の１つに対して利得制御信号により設定された利得に基づいて、低域ＲＦ  ＶＧＡ４８ＡからＲＦ信号を増幅または減衰する。選択された通信モードに基づいて選択された出力ポートＡおよびＢに依存して、ステージ１５０Ａはａ＊ｄ０  １５４およびｂ＊ｄ０  １５５の１つを受信し、ステージ１５０Ｂはａ＊ｄ１  １５３およびｂ＊ｄ１  １５４の１つを受け取る。ｄ０およびｄ１の値はディジタルコントローラ４０から選択された通信モードの周波数帯域に関連するドライバ増幅器の１つに対して利得制御信号により設定されてもよい。加えて、ステージ１５０Ａ内のトランジスタＭ５およびＭ６の１つならびにステージ１５０ＢのトランジスタＭ３およびＭ４の１つだけが、選択された通信モードに関連付する選択された出力ポートに基づいてオンにされる。
【０１０７】
スイッチカスケードステージ１５０Ａおよび１５０Ｂは相互にほぼ同一であり、低域ドライバ増幅器５０Ａの出力ポートの選択された１つに共通ソースステージの出力電流ｄａ＿ｏｕｔＡおよびｄａ＿ｏｕｔＢを送る。上述のとおり、ディジタルコントローラ４０は選択された通信モード、例えばＣＤＭＡまたはＧＳＭに基づいて出力ポートを選択する。例えば、出力ポートＡは低域ドライバ増幅器５０ＡのＣＤＭＡ通信モード出力ポート９７として設計されてもよい。加えて、出力ポートＢは低域ドライバ増幅器５０ＡのＧＳＭ通信モード出力ポート９８として設計されてもよい
上述のとおり、図示された例では、低域ドライバ増幅器５０Ａは２つのスイッチカスケードステージ、入力ｄ０を備える１５０Ａおよび入力ｄ１を備える１５０Ｂを含むだけである。通常、低域ドライバ増幅器５０Ａは、選択された通信モードの周波数帯域に関連するドライバ増幅器５０に対する参照テーブル、例えば図５のドライバ増幅器ＬＵＴ１１９からの８ビット利得制御を有する。したがって、低域ドライバ増幅器５０Ａは入力ｄ０〜ｄ７を備える最大８つスイッチカスケード状態を含んでもよい。
【０１０８】
バイナリ加重ステージ１５０Ａおよび１５０Ｂの出力は２つの出力コイルに結合されている。外部キャパシタと共にコイルを用いて、出力ｄａ＿ｏｕｔＡおよびｄａ＿ｏｕｔＢを５０オームに整合する。整合は大信号状態において最適化される。最大出力で、低域ドライバ増幅器５０Ａは約２０ｍＡでバイアスされてもよい。低域ドライバ増幅器５０Ａのバイアス電流は入力電圧Ｖｉｎｖ＿ａおよびＶｉｎｖ＿ｂが増加すると増加する。通常、低域ドライバ増幅器の利得制御領域は約３３ｄＢである。
【０１０９】
図１３はドライバ増幅器５０の１つに対してバイアス入力電流を提供するドライバ増幅器バイアス回路１６０の例示的な実施形態を示している。図示された実施形態では、バイアス回路１６０は図１０の低域ドライバ増幅器５０ＡにＩｄａ１５６を提供する。低域ドライバ増幅器５０Ａのバイアス電流Ｉｄａ１５６はダイオード接続デバイスに供給され、低域ドライバ増幅器５０Ａ内のトランジスタのゲート電圧は変圧器９６の２次側を介してこのダイオードに接続されている。
【０１１０】
ドライバ増幅器５０は、プロセスおよび温度に関して利得変化を低減する特定のバイアス回路を要求する。バイアス回路１６０は入力電流Ｉ１  １６４およびＩ２  １６２を受け取る定数回路内にトランジスタＭ１からＭ９を備える。定数回路により、トランジスタＭ１の電流は１／μ＊Ｃｏｘ＊Ｒｄｓ＿Ｍ４２に比例する。ここで、Ｒｄｓ＿Ｍ４はトランジスタＭ４のチャネル抵抗であり、これは精密な外部抵抗に正比例し、温度に反比例する。これは結果的に、低域ドライバ増幅器５０Ａに対してＩｄａ１５６のより高い増加をもたらし、これは、温度に関してバイアス回路１６０の利得を一定に保つのに役立つ。
【０１１１】
多くの実施形態が説明されてきた。しかし、これらの実施形態に対する様々な変形例が可能であり、ここに提示された原理は同様に他の実施形態に適用されてもよい。ここに説明された方法は、ハードウェア、ソフトウェアおよび／またはファームウェアに実装されてもよい。これらの方法の様々なタスクが、マイクロプロセッサ、組み込み型コントローラまたはＩＰコアといった、論理素子の１つまたは複数のアレイにより実行可能である命令セットとして実現されてもよい。一例では、１つまたは複数のこのようなタスクは、携帯電話などの個人の通信デバイスの様々なデバイスの動作を制御するように構成される、移動局モデムチップまたはチップセット内で実行のために配置される。
【０１１２】
本開示に説明された技術は、汎用マイクロプロセッサ、特定用途向け集積回路（ＡＳＩＣ）、書換え可能ゲートアレイ（ＦＰＧＡ）または他の同等の論理デバイス内に実装されてもよい。ソフトウェアに実装される場合、技術は、ランダムアクセスメモリ（ＲＡＭ）、読み出し専用メモリ（ＲＯＭ）不揮発性ランダムアクセスメモリ（ＮＶＲＡＭ）、電気消去可能プログラマブル読出し専用メモリ（ＥＥＰＲＯＭ）、ＦＬＡＳＨメモリなどといったコンピュータ読取可能媒体上に命令として組み込まれてもよい。命令によって、１つまたは複数のプロセッサは本開示に説明された特定の態様の機能を実行できる。
【０１１３】
別の例として、一実施形態は、配線接続された回路として、特定用途向け集積回路に製造された回路構成として、または非揮発性記憶装置にロードされたファームウェアプログラムまたは機械読取可能コード（このようなコードはマイクロプロセッサといった論理素子アレイにより実行可能な命令である）としてデータ記憶媒体に読み込むかまたはデータ記憶媒体から読み出すソフトウェアプログラムとして、部分的または全体に実装されてもよい。データ記憶媒体は、半導体メモリ（動的または静的ＲＡＭ、ＲＯＭおよび／またはフラッシュＲＡＭを含むが、これ限定されない）あるいは強誘電性オーボニック高分子または位相変化メモリといった記憶素子アレイ、または磁気または光ディスクといったディスク媒体であってもよい。
【０１１４】
本開示では、様々な技術が説明されてきた。例えば、マルチモードＷＣＤ内の可変ＲＦ変調器の単一変調パスにおける２つまたはそれ以上の異なる通信モードによる動作を可能にする技術が説明されている。マルチモードＷＣＤは２つまたはそれ以上の通信モードにおける動作をサポートする。マルチモードＷＣＤは無線通信システム内の基地局からサービス信号を検出し、検出されたサービス信号の通信モードに基づいて動作する通信モードを選択する。本明細書に説明されている技術により、マルチモードＷＣＤは、選択された通信モードに基づいてＲＦ変調器内の可変構成要素の利得、帯域幅、バイアス電流、バイアス電圧およびコモンモード電圧といったパラメータを設定できる。このように、可変ＲＦ変調器の単一変調パスは、マルチモードＷＣＤが動作する通信モードに従って、ＷＣＤのユーザのオーディオまたはビデオ信号を処理するように設定されてもよい。
【０１１５】
ＣＤＭＡおよびＧＳＭ通信モードの高周波数帯域および低周波数帯域に関して主に説明されているが、本技術は、様々な実用可能な周波数帯域を含む追加の通信モードまたは異なる通信モードに適用されてもよい。加えて、本技術は本明細書ではＷＣＤのＲＦ変調器内で動作するとされている。しかし、本技術はまたＷＣＤの送受信機内で動作するように適用されてもよい。例えば、技術は８０２．１１送受信機内で動作してもよい。これらおよび他の実施形態は添付の特許請求の範囲の範囲内である。
【図面の簡単な説明】
【０１１６】
【図１】マルチモードＷＣＤ内の可変ＲＦ変調器の単一変調パスにおける２つまたはそれ以上の異なる通信モードに従う動作を可能にする技術を実現するマルチモードＷＣＤを含む無線通信システムを示すブロック図である。
【図２】図１の移動局モデムおよび可変ＲＦ変調器をさらに詳細に示すブロック図である。
【図３】マルチモードＷＣＤに組み込まれた可変ＲＦ変調器の単一変調パスを用いてマルチモードＷＣＤに対して選択された通信モードに従って信号を処理する例示的な動作を示すフローチャートである。
【図４】図２の可変ＲＦ変調器をさらに詳細に示している。
【図５】図４のディジタルコントローラの例示的な実施形態を示している。
【図６】図４のアップコンバータの例示的な実施形態を示している。
【図７】図４のアップコンバータの別の例示的な実施形態を示している。
【図８】ＲＦミキサを駆動するＬＯシステム内のＬＯバッファの例示的な実施形態を示している。
【図９】図４の任意の低域ＬＯバッファおよび高域ＬＯバッファの例示的な実施形態を示している。
【図１０】図４の高調波除去フィルタの例示的な実施形態を示している。
【図１１】図４のＲＦ  ＶＧＡの例示的な実施形態を示している。
【図１２】図４のドライバ増幅器の例示的な実施形態を示している。
【図１３】図１０のドライバ増幅器にバイアス入力電流を供給するドライバ増幅器バイアス回路の例示的な実施形態を示している。
【図１】
2009508449.tif 000013
【図２】
2009508449.tif 000014
【図３】
2009508449.tif 000015
【図４】
2009508449.tif 000016
【図５】
2009508449.tif 000017
【図６】
2009508449.tif 000018
【図７】
2009508449.tif 000019
【図８】
2009508449.tif 000020
【図９】
2009508449.tif 000021
【図１０】
2009508449.tif 000022
【図１１】
2009508449.tif 000023
【図１２】
2009508449.tif 000024
【図１３】
2009508449.tif 000025
【国際調査報告】
2009508449.tif 000026
2009508449.tif 000027